(57)【要約】      （修正有）【課題】容積空間の物理的変化量を検出するセンサが物理的変化量を検出すると共に、次回の物理的変化量の検出に向けてセンサ自体の正常・異常の判別を可能にする。【解決手段】特定の形状に形成された基材１を被覆する発泡合成樹脂材料または発泡ゴム材料を特定の形状に形成してなる発泡体１０と、対向する基材１と発泡体１０に形成された所定の容積空間４と、容積空間４に加えられた外部からの押圧力を、容積空間４で形成した容積空間４の物理的変化量として検出するセンサＳＥＮとを具備し、更に、容積空間４に加えられた外部からの押圧力を、容積空間４の物理的変化量としてセンサＳＥＮで検出するセンサ動作出力回路と、センサ動作出力回路のセンサＳＥＮの動作検出直後から所定の時限内に、センサＳＥＮ自体の異常をセンサＳＥＮの検出信号から判別するセンサ異常判別回路を有する。【選択図】図４
2019045392.tif 000002
【特許請求の範囲】
【請求項１】
特定の形状に形成された基材と、
前記基材を被覆する発泡合成樹脂材料または発泡ゴム材料を特定の形状に形成してなる発泡体と、
対向する前記基材と前記発泡体に形成された所定の容積空間と、
前記容積空間に加えられた外部からの押圧力を、前記容積空間で形成した物理的変化量として検出するセンサとを具備する接触検出装置にあって、
前記センサが検出したセンサ出力は、前記容積空間に加えられた外部からの押圧力を前記容積空間の物理的変化量として検出し、複数の閾値と比較して、その信号検出出力として正常、異常の２値信号を得るセンサ信号出力回路と、
前記センサ信号出力回路の前記センサ出力の異常状態から定常状態に戻る２値信号の変化直後から、所定の閾値以下で、所定の時限内に、正常・異常を前記信号検出出力で判別するセンサ異常判別回路とを有していることを特徴とする接触検出装置。
【請求項２】
前記センサ異常判別回路は、前記センサ信号出力回路が前記容積空間に加えられた外部からの押圧力を検出する定常状態に戻るとき、前記センサの検出信号をアース電位として定常状態に戻るまでの特性を基に、前記センサ自体の正常・異常を判断することを特徴とする請求項１に記載の接触検出装置。
【発明の詳細な説明】
【技術分野】
【０００１】
本発明は、特定の形状に形成された基材と発泡合成樹脂で特定の形状を削りだした発泡体からなり、前記基材と前記発泡体との間の片側または両側に容積空間を形成し、その容積空間の物理量の変化をセンサによって検出する接触検出装置に関するもので、特に、発泡合成樹脂で特定の形状を成型したり、削り出したり、その容積空間の内側の面を漏れがないようにし、何れの位置に接触しても検出できる二次元、三次元の接触検出装置に関するものである。
【背景技術】
【０００２】
従来の一般的な発泡合成樹脂成型体の成型方法及び発泡合成樹脂成型体としては、ポリスチレンを微細な泡で発泡させ硬化させた発泡ポリスチレンを使用し、その表面に塗料を塗布する方法がある。例えば、発泡ポリスチレンに木工ボンドを塗り、その木工ボンドが固まったとき、スプレーで塗装する方法がある。
また、水性ボンドに顔料を混ぜて、直接、発泡ポリスチレンに塗布する方法もある。そして、和紙を細かく粉砕し、粉体化したものに木工ボンドや和糊を混練して発泡ポリスチレンに貼り付け、それを水性塗料のネオカラーやポスターカラーで塗装する方法もある。更に、発泡ポリスチレンを基材にしてそれにＦＲＰ造形を行う方法もある。
これらはいずれも発泡合成樹脂成型体に塗布した塗装の厚みが厚くなり、形式的な見栄えが良くても、実用的な使用に耐えるものではなかった。
【０００３】
酷似する技術を検索すると、直接、発泡合成樹脂材を特定の形状に削りだす発泡合成樹脂の成型方法及びその成型体は存在していないが、発泡層付き内装品の技術を特許文献１で開示している。
即ち、特許文献１は発泡層付きの表皮材が、基材に分散形成された吸気路からの真空吸引により基材に吸着されて接着された発泡層付き内装品において、表皮材が熱可塑性であり、その表面形状が、表皮材を加温処理により軟化させ、その状態で基材に接着させる際に、表皮材用真空吸引型による真空吸引により賦形されている構成を有し、表皮材が表皮材用真空吸引型の型面に沿って賦形される技術である。これにより、表面品質が向上するだけでなく、意匠の制約が少なくなり、その自由度が拡大され、基材表面に対して非相似形状に形成することができる。
【０００４】
発泡層付きの表皮材が、基材に分散形成された吸気路からの真空吸引により基材に吸着されて接着された発泡層付き内装品とすることにより、発泡層と表皮材との接着力を強くする技術が開示されている。しかし、特許文献１には、厚手の発泡層についてどのように適応できるかを開示するものはない。原理的には、発泡合成樹脂材を特定の形状に削り出して発泡合成樹脂を成形することは困難と思われる。
【０００５】
また、特許文献２は、発泡合成樹脂材料よりなる芯材の一面に畳表が積層され、他面に機能化剤含有クッションシートが積層され、更に、前記クッションシートに滑り止め層が部分的に積層されることにより、薄くて軽量で、施工性に優れ、滑り難いという技術を開示している。
【先行技術文献】
【特許文献】
【０００６】
【特許文献１】特開２００５−１２５７３６号公報
【特許文献２】特開２０１０−２３６２２０号公報
【特許文献３】特開２０１４−１５６５２３号公報
【特許文献４】特開２０１４−１８８３９１号公報
【特許文献５】特願２０１６−１８０１１０号
【発明の概要】
【発明が解決しようとする課題】
【０００７】
しかし、従来の一般的な発泡合成樹脂成型体は、例えば、量産しない製品のカバー、特殊な椅子の肘掛け、特殊車両或いは改造車のダッシュボード等に使用すると、機械的強度が足りないとか、塗料が塵のように剥がれ落ちて周辺を汚したりして、廉価には実用的なものはできなかった。勿論、発泡ポリスチレンを基材にしてそれにＦＲＰ造形を行う技術は、機械的強度は上げることができるものの、弾性に欠き、また、高価であるという問題があった。
また、特許文献１及び特許文献２では、発泡合成樹脂成型体とクッションシートとの接着力を強くすることを開示している。ところが、形式的に試作品を形成する原材料として発泡性合成樹脂が使用されているものの、少量生産品にこの技術を使用するということは実現されていない。特に、例えば、発泡ポリスチレンのような発泡合成樹脂成型体は、脆く、表面を削って所定の形状に仕上げ、かつ、表面を見栄え良く平滑化することができなかった。
【０００８】
そして、発泡性合成樹脂にベントホールと呼ばれる穴が存在すると、当該ベントホールを穴埋めするには、残余の発泡性合成樹脂の厚みによって左右されるが熟練者でないと効率良く成型できない。また、ベントホールを穴埋めすると発泡合成樹脂成型体の重量バランスに微妙な違いが出て、使途によっては、その重量バランスの調整が必要な場合がでてくる。
【０００９】
更に、先行文献３及び先行文献４は、上記問題点を解消し、基材として発泡合成樹脂材料を用いて、特定の形状を削り出して弾性に富む成型体として、塗装面の厚みを厚くすることなく、見栄えの良い、廉価な発泡合成樹脂成型体を得ている。しかし、特許文献３及び特許文献４が接触センサを用いるとなると、表面に金属電極、導電性塗料等を塗布する必要性があり、相手が導電体のものに使用が限られていた。
また、市販の感圧スイッチを用いると、押圧力を受けている部位の感圧スイッチ自身は作動するが、他の感圧スイッチが配設されていない箇所の圧力検出ができなかった。また、感圧スイッチはその絶縁基板（シート）の変形が自在にならないので立体的に形成することができなかった。
しかし、一般に、センサは接触センサ、感圧スイッチ等の量産化されている普及型センサは廉価であるが、量産化されていないセンサは高価である。例えば、静電容量の変化または歪ゲージを使用した圧力センサ等は廉価に供給されている。
一方、電気回路はデジタル回路とアナログ回路が混在するところでは、デジタル回路のパルスがパルス雑音となってアナログ回路に入る可能性が高いことから、アナログ回路に入り難い信号の使用が望ましく、かつ、ＩＣ化される等の小型化されているものが望ましい。
【００１０】
そこで、本発明者らは特許文献５に掲載の接触検出装置を発明した。即ち、特定の形状に形成された基材と、前記基材を被覆する１枚の発泡合成樹脂材料または発泡ゴム材料を特定の形状に形成してなる発泡体と、対向する前記基材と前記発泡体の片側に形成された所定の容積空間と、前記容積空間内に配設された連続気泡構造を有している空間維持材と、前記容積空間内及び前記空間維持材の圧縮された空気が、前記基材及び／または前記発泡体から外気に漏れ難くした前記容積空間を形成した補強層と、前記補強層で形成した前記容積空間及び前記空間維持材の物理的変化量として検出するセンサと、前記センサからのオン・オフ出力のオン時間またはオフ時間の長さをもって検出出力とし、前記特定の形状に形成された基材と、前記基材を被覆する１枚の発泡合成樹脂材料または発泡ゴム材料、または発泡合成樹脂材料または発泡ゴム材料を特定の形状に形成してなる前記発泡体が形成するコーナに埋設してなる出力回路とを具備する装置を開発した。
これによって、広範な範囲に加えられた圧力を検出することができ、二次元的な平面的構成であっても、三次元的な立体的構成であっても施工でき、所定以上の外部からの圧力を検出できる接触検出装置となった。
しかし、前記容積空間の物理的変化量として検出する接触検出装置においては、フェイルセーフとして設計されるのが一般的であるが、物理的変化量として検出するセンサについての信頼性を高める回路が存在していなかった。
【００１１】
そこで、本発明は従来の問題点を解消すべく、容積空間の物理的変化量を検出するセンサが物理的変化量を検出するセンサ信号出力回路及び次回の物理的変化量の検出に向けてセンサ自体の正常・異常をセンサ異常判別回路で判別できる接触検出装置の提供を課題とするものである。
【課題を解決するための手段】
【００１２】
請求項１の発明の接触検出装置は、特定の形状に形成された基材を被覆する形状の発泡体と、対向する前記基材と前記発泡体に形成された所定の容積空間と、前記容積空間に加えられた外部からの押圧力を、前記容積空間で形成した前記容積空間の物理的変化量として検出するセンサと、前記センサが検出したセンサ出力は、前記容積空間に加えられた外部からの押圧力を前記容積空間の物理的変化量として検出し、複数の閾値と比較して、その信号検出出力として正常・異常の２値信号を得るセンサ信号出力回路と、前記センサ信号出力回路の前記センサ出力の異常状態から定常状態に戻る２値信号の変化直後から、所定の閾値以下で、所定の時限内に、正常・異常を前記信号検出出力で判別するセンサ異常判別回路で処理している。
【００１３】
ここで、上記特定の形状に形成された基材は、例えば、１枚以上の熱可塑性樹脂材料、または２枚以上を積層接着した熱可塑性樹脂材料を特定の形状に形成したもの、１枚以上の熱可塑性樹脂材料は、ソリッドタイプの樹脂としても、発泡体としてもよく、容積空間の容積変化が出現する硬度を有するものであればよい。
上記発泡体として使用する発泡合成樹脂材料は、存在する内部気泡同士が繋がっていない独立気泡体、存在する内部気泡同士が繋がっている連続気泡体の何れであってもよい。何れにせよ、前記容積空間の空気が外気に漏れ難く形成したものであればよい。
また、上記発泡体は、前記基材を発泡合成樹脂材料の１枚または複数枚積層接着したもので被覆し、特定の形状に形成するものである。通常、前記発泡体は前記発泡体を外部から被う構成となる。基材は、例えば、ロボット等の自走する自動生産装置に被覆し、その基材に対して前記発泡体を設けフェイルセーフ対応とするものである。
【００１４】
そして、上記容積空間は、前記基材及び前記発泡体との間の片側または両側に補強層を形成してもよい。この補強層は、前記基材及び／または前記発泡体から空気が外気に漏れ難くするものである。そのためには、補強層によって空気が通り抜け難くされている。射出成型金型で形成する金型によって冷やされるスキン層または別の材料で形成した空気の漏れを少なくするフィルムもこの補強層の１つである。
前記容積空間内の空気が外部からの圧力（外圧）により圧縮されたとき、その圧縮空気の一部が、前記容積空間から漏れ出さないように補強層を設けるのが望ましい。この補強層としては、目止め剤、穴埋め剤、下塗り剤、上塗り剤、仕上げ剤のうちの幾つかを選択できる。また、前記発泡体を形成する金型で形成したスキン層を、前記基材を被覆する１枚の発泡合成樹脂材料または発泡ゴム材料、または複数枚を積層接着した特定の形状に形成してなる発泡体とすることもできる。
また、前述した補強層の形成は、二次元的な表面的なものでも、三次元的（立体的）な処理でもよい。特に、三次元的な補強層は、前記補強層のみの強度というよりも、前記容積空間の強度及び緻密化が可能になる。前記補強は合成樹脂シートとすることもできる。
ここで、空気が漏れ難く形成した容積空間とは、空気が全く漏れない状態を意味するのではなく、空気が漏れても、それが前記センサの特性を変化する程度には至らないことを意味する。この補強層は、全く空気のリークがないものに限定されるものではなく、多少のリークが生じるものでよい。また、完全にリークのないものを製造し、そこに特定径のリーク路を形成してもよい。
特に本発明においては、容積空間に加えられた外部からの押圧力及びその回復の特性が必要である。
【００１５】
更に、上記空気が外気に漏れ難く形成した容積空間の物理的変化量として検出するセンサとしては、接触圧、気圧、圧力等の変化を歪量または静電容量の変化等として物理的の変量を空気圧、空気の流れ、空気の流速、空気量の変化等として検出する物理的変化量を計測するものである。また、このセンサには、「ＭＥＭＳフローセンサ」、「ＭＥＭＳ風量センサ」、「流速センサ」と呼ばれている空気の流れを生じさせる市販のマイクロフローセンサ（Ｄ６Ｆ−Ｖ０３Ａ１；オムロン製）を使用することもできる。原理的には、本発明を実施する場合には、「ＭＥＭＳフローセンサ」、「ＭＥＭＳ風量センサ」、「流速センサ」等と呼ばれている市販のセンサであれば使用可能であるが、本発明者らは、小型化が必要であったことから、Ｄ６Ｆ−Ｖ０３Ａ１（オムロン製）を使用した。また、市販のフローセンサとして、オムロン製品の他に（株）キーエンス、愛知時計電機（株）、（株）山武、ＡＳＫ（株）の製品も実施したが、原理的には、何れでも実施できることが確認された。
【００１６】
加えて、上記センサ信号出力回路は、前記容積空間に加えられた外部からの押圧力を、前記容積空間の物理的変化量として空気圧、空気の流れ、空気の流速、空気量の変化等として検出するセンサを含む回路で、具体的には、前記容積空間に加えられた外部からの押圧力を前記容積空間の物理的変化量として検出し、複数の閾値と比較して、その信号検出出力として正常・異常の２値信号を得る回路である。
また、上記センサ異常判別回路は、異常状態から定常状態に戻る２値信号の変化直後から、所定の閾値以下で、所定の時限内の特性によって判断している。この異常状態から定常状態に戻る２値信号の変化直後から所定の閾値以下で、所定の時限内の特性には、前記センサの過度現象が生じている回復特性で、２次関数の曲線の判断、設計時間よりも長い時間で定常の監視状態に入り、例えば、サンプリングによって２次関数曲線であることを確認する方法でもよい。
即ち、上記センサ異常判別回路は、前記センサ信号出力回路の前記センサ出力の異常状態から定常状態に戻る２値信号の変化直後から、所定の閾値以下の時限内で、２次関数曲線の検出で、または、所定の閾値に対する経過時間等で正常・異常を前記信号検出出力で判別する回路が搭載されている。
【００１７】
例えば、上記センサ出力はマイクロプロセッサに付設されたＡ-Ｄ変換回路に入力されて信号処理され、その出力はデジタル処理されて、マイクロプロセッサから出力される。
即ち、容積空間の物理的変化として検出するセンサは、外部からの押圧力が第１閾値ＴＨ１以上となり、その状態がＸ1時間継続することにより前記センサ出力とし、また、第１閾値ＴＨ１未満となり、その状態がＹ1時間継続することにより前記センサ出力の終了とし、そして、外部からの押圧力が前記第１閾値ＴＨ１よりも大きい第２閾値ＴＨ２（ＴＨ１＜ＴＨ２）以上となり、その状態がＸ2時間継続することにより前記センサ出力とし、また、第２閾値ＴＨ２未満となり、その状態がＹ2時間継続することにより前記センサ出力の検出とする。更に、前記センサ出力の検出の後、Ｚ1時間継続した後に前記センサ出力の特性をセンサ異常判別回路の入力として確認し、特性の後に前記センサが前記容積空間に加えられた外部からの押圧力の入力を検出するものである。
ここで、実施物では、第１閾値ＴＨ１＝１［Ｖ］、第２閾値ＴＨ２＝２．５［Ｖ］、アース電位閾値ＴＨ０＝０［Ｖ］は、任意の正電圧、負電圧に設定してもよい。また、監視する時限Ｘ1、時限Ｙ1、時限Ｚ1、監視する時限Ｘ2、時限Ｙ2、時限Ｚ2の時限も、１または複数が「０」が設定される「０」以上の値が使用される。即ち、センサが検出したセンサ出力は、前記容積空間に加えられた外部からの押圧力を前記容積空間の物理的変化量として検出し、複数の閾値と比較して、その信号検出出力として正常・異常の２値信号を得るセンサ信号出力回路と、前記センサ信号出力回路の前記センサ出力の異常状態から定常状態に戻る２値信号の変化直後から、所定の閾値以下で、所定の時限内に、正常・異常を前記信号検出出力で判別するセンサ異常判別回路が搭載されている。
【００１８】
請求項２の発明の接触検出装置の前記センサ異常判別回路は、前記センサ信号出力回路が前記容積空間に加えられた外部からの押圧力を検出する定常状態に戻るとき、前記センサの検出信号をアース電位として定常状態に戻るまでのセンサの出力特性を基に、前記センサ自体の正常・異常を判断するものである。
上記センサ異常判別回路は、前記センサ信号出力回路が前記容積空間に加えられた外部からの押圧力を検出する定常状態に戻るとき、前記センサの検出信号をアース電位として定常状態に戻るまでの二次関数特性を基に、前記センサ自体の正常・異常を判断するものである。結果的に、二次関数特性を経てセンサ信号出力回路の動作に入ることができれば正常とする判断である。
【発明の効果】
【００１９】
請求項１の発明の接触検出装置は、対向する特定の形状に形成された基材と、特定の形状に形成された基材を被覆する特定の容積空間と、前記容積空間に加えられた外部からの押圧力を、前記容積空間で形成した物理的変化量として検出するセンサとを具備し、センサ信号出力回路は前記容積空間に加えられた外部からの押圧力を、前記容積空間の物理的変化量として前記センサで検出する。また、センサ異常判別回路は、前記センサ信号出力回路のアース電位の検出時点から所定の時限内に、前記センサ自体の正常・異常を前記センサ出力で判別するものである。なお、本実施の形態では、アース電位を閾値として使用しているが、他の閾値を使用してもよい。
【００２０】
したがって、特定の形状に形成された基材を被覆する積層接着した発泡合成樹脂材料または発泡ゴム材料を特定の形状に形成してなる発泡体の片側に形成された所定の容積空間と、前記容積空間内に圧縮された空気が、前記基材及び／または前記発泡体から外気に漏れ難くした前記容積空間に形成し、前記基材と前記発泡体の外部からの押圧力を、前記容積空間の物理的変化量としてセンサで検出し、前記センサ出力の時限をもって検出出力とするものである。
【００２１】
漏れ難くした容積空間内の、例えば、圧縮された空気は、前記基材と前記発泡体の片側または両側に加えられた押圧力によってセンサで物理的変化を得る。物理的変化量として、空気圧、空気の流れ、空気の流速、空気量の変化等として検出する。
このように、前記基材及び／または前記発泡体から物理的変化量として、漏れ難くした容積空間内の物理的変量を検出するものであるから、広範な範囲に加えられた圧力を検出することができ、二次元的な平面的構成であっても、三次元的な立体的構成であっても施工でき、所定以上の外部からの圧力を検出できる。
また、前記容積空間の物理的変化として検出するセンサは、前記センサ信号出力回路の前記容積空間に加えられた外部からの押圧力を、前記容積空間の物理的変化量として前記センサで検出し、通常の前記容積空間に加えられた接触圧等として検出する。しかし、センサ異常判別回路は、前記センサ信号出力回路の前記センサ出力の検出直後から所定の時限内に、前記センサ自体の正常・異常を前記センサ出力で判別するから、前記センサ信号出力回路の動作の終了時点でセンサ異常判別回路がセンサに異常がないことを明らかに保証する。
特に、前記容積空間の物理的変化量を検出するセンサ出力は、時間の経過に伴って徐々に加わる外力、即ち、なだらかに立ち上がったり、立ち下がったりする外力と、短時間に急激に加わる外力とを区別して監視し、短時間に接触を判別することができる。
即ち、本願発明の容積空間の物理的変化量を検出するセンサが物理的変化量を検出するセンサ信号出力回路及び次回の物理的変化量の検出に向けてセンサ自体の正常・異常をセンサ異常判別回路で判別できる接触検出装置として提供することができ、殊に、次回、初回の起動時に対して、何時発生するか分からない接触直前のタイミングに風量センサ異常が発生していないかを判別できる。
【００２２】
請求項２の接触検出装置の前記センサ異常判別回路は、前記センサ信号出力回路が前記容積空間に加えられた外部からの押圧力を検出する定常状態に戻るとき、前記センサの検出信号をアース電位として定常状態に戻るまでのセンサの出力特性を基に、前記センサ自体の正常・異常を判断するものである。
したがって、前記センサ信号出力回路が動作する毎に、センサの正常・異常が確認され、特に、次の動作の前に、前記センサ異常判別回路が動作しなければ、次回、安全に動作することを意味する。
特に、前記センサ信号出力回路が前記容積空間に加えられた外部からの押圧力を検出する定常状態に戻るとき、前記センサの検出信号をアース電位として定常状態に戻るまでの二次関数特性を基に、前記センサ自体の正常・異常を判断するものである。結果的に、二次関数特性を経てセンサ信号出力回路の動作に入ることができれば正常である。
【図面の簡単な説明】
【００２３】
【図１】図１は本発明の実施の形態における接触検出装置の特定の形状に形成した基材の例示の斜視図である。
【図２】図２は本発明の実施の形態における接触検出装置の発泡体を積層接着した状態の説明図である。
【図３】図３は本発明の実施の形態における接触検出装置の基材と発泡体を装着した状態の断面の説明図である。
【図４】図４は本発明の実施の形態における接触検出装置の構造を説明する断面説明図である。
【図５】図５は本発明の実施の形態における接触検出装置で使用する空間維持材の他の事例の説明図である
【図６】図６は本発明の実施の形態における接触検出装置を取付ける人形ロボットの全体斜視図である。
【図７】図７は本発明の実施の形態における接触検出装置を取付ける人形ロボットの胸部の全体斜視図である。
【図８】図８は本発明の実施の形態における接触検出装置を人形ロボットの胸部の内側に配設した要部斜視図である。
【図９】図９は本発明の実施の形態における接触検出装置を人形ロボットの胸部の外側を押圧した場合の要部斜視図である。
【図１０】図１０は本発明の実施の形態における接触検出装置で使用するセンサ信号出力回路及びセンサ異常判別回路の全体回路図である。
【図１１】図１１は本発明の実施の形態における接触検出装置で使用する順次接触状態が増加するタイミングチャートである。
【図１２】図１２は本発明の実施の形態における接触検出装置で使用する外力付加があった場合のタイミングチャートである。
【図１３】図１３は本発明の実施の形態における接触検出装置で使用する一般的な接触状態のタイミングチャートである。
【図１４】図１４は本発明の実施の形態における接触検出装置の制御のフローチャートである。
【発明を実施するための形態】
【００２４】
以下、本発明の実施の形態について、図面に基づいて説明する。なお、本実施の形態において、図示の同一記号及び同一符号は、同一または相当する機能部分であるから、ここではその重複する説明を省略する。
【００２５】
［実施の形態］
図１乃至図９において、本発明の実施の形態の接触検出装置で使用する基材１は、人形（ひとがた）ロボット５０に使用されているプロテクタである。この基材１は、例えば、ソリッドタイプまたは発泡性の熱可塑性樹脂材料から構成されている。この基材１の切削加工前は、接着のために確保しているフランジ部２のサイズで蒲鉾型に形成されている。即ち、基材１の外表面１Ａは対向する発泡体１０からすれば、片側のみに切削加工が行われた容積空間４を形成している。勿論、容積空間４の切削加工は、基材１または発泡体１０側の一方のみ、或いは基材１及び発泡体１０の両方とすることができる。
なお、基材１の外表面１Ａのフランジ部２と発泡体１０の内表面１０Ｂとの間は、接着剤または両面テープで接合している。または、基材１の開口及び発泡体１０の開口の接合に従って接合してもよい。
【００２６】
本実施の形態では、基材１を特定の形状に形成した合成樹脂材料としているが、本発明を実施する場合には、アルミニウム板、ステンレス板、鉄板、銅板等として、ソリッドタイプの合成樹脂、発泡合成樹脂材料として形成することもできる。外表面１Ａは対向する発泡体１０からみれば、片側のみに切削加工が行われた容積空間４を形成しているが、本発明を実施する場合は、発泡体１０側を切削してもよいし、基材１と発泡体１０の両側を切削してもよい。何れにせよ、容積空間４は対向する基材１と発泡体１０の片側または両側に容積空間４が形成されればよい。容積空間４の厚みは、通常、３〜１５ｍｍ程度である。
【００２７】
基材１と発泡体１０との間に形成された容積空間４は、容積空間４自体が閉じられた空間となっている。したがって、外部から発泡体１０に圧力を加えると、その加えた圧力に応じて窪みが生じ、容積空間４の体積変化が生じ、圧力変化が生じる。容積空間４の体積変化は空気圧となってセンサＳＥＮに入るから、センサＳＥＮは発泡体１０に加えた圧力の検出となる。
なお、センサＳＥＮとして、市販のマイクロフローセンサ（Ｄ６Ｆ−Ｖ０３Ａ１；オムロン製）を使用する場合には、センサＳＥＮに風の流れを形成する必要がある。したがって、容積空間４の体積変化が生じるように、補助空間２０から外部に空気の流れを発生させる。また、基材１と発泡体１０との間に形成された容積空間４に付与する外力を解放すると、容積空間４の復元力で、センサＳＥＮには逆方向の空気の流れとなる。容積空間４に付与する外力はセンサＳＥＮで付与するものではないが、爾後、センサＳＥＮのみの説明とする場合もある。
【００２８】
本実施の形態の接触検出装置で使用する発泡体１０は、１枚以上の熱可塑性樹脂材料、または２枚以上を接着剤１５で積層接着した熱可塑性樹脂材料としての発泡合成樹脂材料１１，１２，１３を特定の形状に形成したものである。１枚以上の発泡合成樹脂材料１１，１２，１３は、発泡体１０で容積空間４の容積変化が出現する硬度を有するものであり、特に、発泡体１０は、存在する内部気泡同士が繋がっていない独立気泡体、存在する内部気泡同士が繋がっている連続気泡体の何れであってもよい。しかし、空気の漏れを少なくするには、極めて柔らかく、復元性がある独立気泡体が好ましく、これら発泡体１０の発泡倍率は１０〜５０倍程度である。スポンジ硬度は１０〜５０（ＪＩＳ−ｋ−６２５３）の範囲内が好ましく、通常、スポンジ硬度は１５〜４５がより好適であり、構造によっては多少変化する。
【００２９】
発明者らは、図２に示すように、市販されている３枚の特定の縦・横・高さ（１２００×９００×６０ｍｍ）の規格化されたポリエチレンからなる発泡合成樹脂材料１１，１２，１３を使用した。ポリエチレンからなる発泡合成樹脂材料１１，１２，１３は、各規格化サイズが単体で発泡成形されており、表面の発泡密度が高いスキン層となっている。そのベントホールＺはφ２〜１０ｍｍ程度の材料である。本実施例で５０ｍｍよりも厚い製品を得るには、規格化された発泡合成樹脂材料１１，１２，１３の表面がスキン層となっているから、その両面の接着面にゴム系の接着剤を塗布して積層接着した。なお、接着剤１５はゴム系の接着剤である。
【００３０】
ゴム系の接着剤１５としては、ゴム糊（ノントルエン缶入り（丸末油業））またはゴム糊であるボンド(ＧＳＥＮ０Ｘ７(コニシ株))を接着する両面に薄く塗り、そして乾燥させ、接着面を対向させて圧縮し接着した。ゴム系の接着剤１５はボンド(ＧＳＥＮ０Ｘ７(コニシ株))であり、シクロヘキサン、ｎ−ヘプタン、アセトンが主成分である。
ここで、接着剤１５の厚みは、その存在が視認できない程度に可能な限り薄くし、接着機能のみが維持できればよい。ここで使用するゴム糊は、基材としての発泡合成樹脂材料１１，１２，１３と同じポリエチレン等の合成樹脂からなる接着剤１５も使用できる。
【００３１】
次に、本発明の実施の形態における発泡体１０について詳述する。
本発明を実施する場合の基材１は、人形ロボット等のロボットの被覆、各種機器のハウジングの被覆は、アルミニウム板、ステンレス板、鉄板、銅板等で形成されるのが一般的である。合成樹脂の場合には発泡合成樹脂も使用されているものの、主に、射出成型等で形成されている。この射出成型で形成した基材１の殆どは、１ブロックの熱可塑性樹脂材料から構成したものであるが、本実施の形態の接触検出装置では、射出成型等で形成された１ブロックの基材１の事例で説明する。
勿論、１枚以上の熱可塑性樹脂材料または２枚以上を積層接着した発泡合成樹脂材料１１，１２，１３を特定の形状に形成した基材１も、１個のソリッドタイプの合成樹脂材料または複数枚のソリッドタイプの合成樹脂板を特定の形状に形成してなる基材１も、基本的構成は射出成型等で形成されたものと相違するものではない。
【００３２】
本実施の形態で使用する発泡合成樹脂材料としては、ポリウレタン(ＰＵＲ)、ポリスチレン(ＰＳ)、ポリオレフィン（主に、ポリエチレン(ＰＥ)やポリプロピレン(ＰＰ)）、また、フェノール樹脂(ＰＦ)、ポリ塩化ビニル(ＰＶＣ)、ユリア樹脂(ＵＦ)、シリコーン(ＳＩ)、ポリイミド(ＰＩ)、メラミン樹脂(ＭＦ)等の発泡化した樹脂が使用でき、内部気泡同士が繋がっている連続気泡体または内部気泡同士が繋がっていない独立気泡体の利用が可能である。しかし、発泡体１０及び基材１から空気が外気に漏れ難い容積空間４を形成するには、内部気泡同士が繋がっていない独立気泡体の使用が好ましい。
【００３３】
本実施の形態では、基材１は発泡体１０と同一材料で、また、それらの対する箱型の内枠６として同一処理したものである。基材１の周囲は切削して、外表面１Ａを形成している。発泡体１０の外表面１０Ａと内表面１０Ｂには、後述する箱型の内枠６が立体的構成として形成されている。また、基材１の外表面１Ａと内表面１Ｂにも、後述する箱型の内枠６が立体的に構成されている。勿論、発泡体１０の外表面１０Ａと内表面１０Ｂには、基材１の外表面１Ａと内表面１Ｂにも、後述する箱型の内枠６は二次元的構成として形成してもよい。
【００３４】
箱型の内枠６は、射出成形で形成した箱であり、安定した据え付け位置によりセンサＳＥＮの流入口に空気圧を導くもので、容積空間４の容積変化、圧力変化がセンサＳＥＮに正確に伝わるようにしている。内枠６が四角枠の箱状になっているのは、水平方向及び垂直方向に内枠６が移動しないようにし、外力変化を得やすくしている。内枠６の開口側には発泡合成樹脂材料の連続気泡体からなる平板封止板（スポンジ）８が配設されている。内枠６と平板封止板８で形成された空間は補助空間２０となっている。この補助空間２０は、一時的に容積空間４の容積変化、圧力変化を吸収させてもよいし、全く独立の空間としてもよい。通常、容積空間４の圧力は変化するが補助空間２０は大気圧となるように空気流が形成される。
したがって、補助空間２０は容積空間４に汚れた空気を導入しないので、センサＳＥＮを汚すことがない。なお、四角の箱状になっている内枠６は、金属板または金属を金型加工することができる。
【００３５】
即ち、補助空間２０は発泡合成樹脂材料の連続気泡体からなる平板封止板８で形成されているから、容積空間４から押圧された空気は案内路５を介してセンサＳＥＮの流入口に流れる。このとき、補助空間２０の略空気圧は大気圧を維持する。しかし、このとき、補助空間２０は大気圧と外部圧力の歪を受けているから、原理的には、外気よりも高くなっているので、連続気泡体からなる平板封止板８を通して、センサＳＥＮの流入口の空気を漏らすことができる。また、容積空間４の押圧力を解除すると容積空間４は不足空気量を案内路５及びセンサＳＥＮを介して外気を導入する。このとき、平板封止板８の全面がフィルタになるから、部分的に外部から塵埃を導入したり、目詰まりしたりすることが極端に少なくなる。
なお、念のため記載するが、平板封止板８から形成された補助空間２０は、発泡合成樹脂材料の連続気泡体からなり、大気圧に等しくなるように形成されている。ここでは、センサＳＥＮは圧力センサであっても、空気の流れを検出する市販のマイクロフローセンサ（Ｄ６Ｆ−Ｖ０３Ａ１；オムロン製）でも使用方法は同じである。このときには、容積空間４から補助空間２０に空気が流れるように構成する必要がある。
【００３６】
ここで使用したセンサＳＥＮは、図示しない補強層によって空気が外気に漏れ難く形成した容積空間４の圧力を検出している。このセンサＳＥＮは、市販の歪ケージを内蔵するセンサ、ダイヤフラムを介して検出するセンサ、ピエゾ効果素子を使用したセンサ、静電容量型のセンサであれば使用可能である。
本実施の形態で使用したセンサＳＥＮは、ＳＭＣ小形空気圧用圧力センサＰＳＥ５４０Ａを使用した。入力の圧力と出力電圧Ｖとの関係は略比例関係で感度の良いものである。
センサＳＥＮの出力は電源線２本、出力信号線ＯＵＴ１本の計３本からなり、本実施の形態では、人形ロボット５０の危険信号として急停止させる信号として使用している。
【００３７】
次に、発泡体１０に配設が望ましい補強層について説明する。
発泡体１０は、発泡させた熱可塑性樹脂であり、主な合成樹脂原料は、ポリウレタン(ＰＵＲ)、ポリスチレン(ＰＳ)、ポリオレフィン（主に、ポリエチレン(ＰＥ)やポリプロピレン(ＰＰ)）であり、他にも、フェノール樹脂(ＰＦ)、ポリ塩化ビニル(ＰＶＣ)、ユリア樹脂(ＵＦ)、シリコーン(ＳＩ)、ポリイミド(ＰＩ)、メラミン樹脂(ＭＦ)等も発泡化して用いることができる。しかし、発泡体１０の切削面１４を加熱することにより硬化させることを前提とすると、８０〜２００℃の範囲内の温度で変形する合成樹脂材料の使用が望ましい。また、本発明を実施する場合には、発泡率を問うものではないが、使途によっては弾性を維持するものの、硬く仕上げるために発泡率の制限を受けるものもある。
【００３８】
基材１の内表面１Ｂには、箱型の内枠６が接着剤で接合して配設されている。この内枠６は、出力が外力に比例する特性のセンサＳＥＮを接合するもので、容積空間４から空気を導く案内路５の流入口に容積空間４の圧力を加えている。このとき、容積空間４の圧力をセンサＳＥＮの案内路５の流入口に導くものであるから、補助空間２０は大気圧であることが望ましい。
センサＳＥＮの出力は、リード線Ｌを介して、必要に応じてコネクタ等を介してマイクロプロセッサ３０の内蔵するオペアンプＯＰ等に導かれ、そのオペアンプＯＰの出力は“Ｈ（オン）”、“Ｌ（オフ）”に変換される。また、オン時間またはオフ時間の長短の条件によって信号検出出力ＡＣの“Ｈ”、“Ｌ”の検出出力の判断を行う。
本実施の形態では、マイクロプロセッサ３０の出力は通常を“Ｈ”、パルス発生を“Ｌ”として、マイナスのパルス発生を説明するが、本発明を実施する場合には、ＮＯＴ回路、ＮＡＮＤ回路の構成を加えれば、結果は同一となるので、“Ｈ”から“Ｌ”に信号変換する事例として説明する。
【００３９】
図６乃至図９において、本発明の実施の形態における接触検出装置を取付けた人形ロボット５０は、内部に汎用のハードウェア及びソフトウェアを搭載している。また、図７の要部斜視図で人形ロボット５０の胸部５１及び肩部５２の外観を示している。図８のコーナ（角）５５は、二次元的または三次元的に空間を形成し、そこに、センサＳＥＮから離れた位置に配置したマイクロプロセッサ３０を取付けてもよい。また、必要に応じてそこに電池を配設してもよい。平板封止板８（図示しない）の上に可撓性のフィルム５６を接合させたもので、基材１（人形ロボット５０）とそれを被覆する発泡体１０を構成している。
【００４０】
本実施の形態の人形ロボット５０は、胸部５１の内側に、図示しない連続気泡体の発泡合成樹脂材料板４Ａ，４Ｂ，４Ｃを入れて体積を確保し、基材１（人形ロボット５０）を被覆する発泡体１０との間に容積空間４を形成し、更に、容積空間４を閉じる空気を通過させない、かつ、センサＳＥＮのみに圧力が加わるようにしている。結果的に、基材１（人形ロボット５０）が金属であるから、センサＳＥＮが固定される。
なお、リード線止め５７は、リード線Ｌの配線用である。
【００４１】
ここで、図９のように、人形ロボット５０の胸部５１外側のコーナを押圧すると、コーナのみが指と接触しており、そこが窪むように見受けられるが、この窪みによる歪が、容積空間４を形成した機械的強度の弱い部分に集中し、容積空間４が体積変化を生じ、それをセンサＳＥＮで検出することができる。
結果的には、人形ロボット５０の胸部５１に付与する外力が検出できる。本実施の形態の人形ロボット５０には、肩部５２の接触を検出していないが、図８に示すように、全体に設けなくても、一部にストレス（歪）が入ると、動作することが判明した。
したがって、基材１及び発泡体１０との間の片側または両側に、基材１及び発泡体１０から空気が外気に漏れ難い容積空間４を形成し、センサＳＥＮの出力によって容積空間４にどれだけの外力が加わったかを判断することにより、基材１及び発泡体１０の何れかに押圧力が加わり、容積空間４の体積が変化した要因の存在を把握し、基材１及び発泡体１０との間の片側または両側に人体等が接触したことを判断するものである。
【００４２】
特定の形状に形成された基材１は、１枚の発泡合成樹脂材料または発泡ゴム材料、または複数枚を積層接着した発泡合成樹脂材料または発泡ゴム材料としたものである。または、本実施の形態のように、人形ロボット５０の一部とすることができる。
したがって、基材１と発泡体１０が同じ特性の材料とすることができるので、対向する基材１と発泡体１０が同一材料となり軽量化及び加工が容易となる。また、伸縮が自在でない、即ち、伸縮しないシートを使用することもでき、これによって、基材１の用途を広げることができる。
【００４３】
また、容積空間４には、その内面に通気性のある発泡合成樹脂材料板で格子状、４角形状、鮫小紋、円形の水玉、市松を打ち抜き形成し、または交互に打ち抜いて形成した弾性体を収容したものである。
したがって、容積空間４は、内面に弾性及び通気性のある発泡合成樹脂材料板で格子状、４角形状、鮫小紋、円形の水玉状、市松状の何れかを打ち抜き形成し、または交互に打ち抜いて形成したものであるから、容積空間４に何も入らない空間ではなく、自己保持する弾性力等を保持させることができ、容積空間４の容積変化を得ればよいことから、複雑な三次元空間であっても、二次元空間と同様の検出が可能となる。
【００４４】
そして、センサＳＥＮは、流入口に空気の圧力を導入するものである。したがって、流入口に空気を通し、その圧力の大きさをセンサＳＥＮで検出し、その出力を増幅し、そのアナログ入力の大きさによって、閾値よりも大きいときに“Ｈ”、それ以下の入力のときに“Ｌ”出力とする。フォトトランジスタがオンするとき、アース電位閾値である第３閾値ＴＨ３＝ＴＨ０＝０［Ｖ］のアース電位となり、人形ロボット５０の制御が停止する。したがって、センサＳＥＮの配線が予測しないロボット制御でショートし、またはアース電位閾値である第３閾値ＴＨ３＝ＴＨ０＝０［Ｖ］のアース電位に低下することがない。
【００４５】
例えば、マイクロプロセッサ３０には、付設されたＡ-Ｄ変換回路等のアナログ入力を有していて、その出力はデジタル処理された出力となる機能を有している。即ち、容積空間の物理的変化量として検出するセンサＳＥＮは、外部からの押圧力が緩やか（例えば、５ｍｍ/ｓ）に押圧力を増加する場合には、図１１及び図１２に示すように、センサ出力ＥＳが徐々に上昇する。このとき、センサ出力ＥＳの検出出力時間が検出すべき継続時限Ｘ1に到達したとき、信号検出出力ＡＣの信号が出力される。
また、外部からの押圧力が緩やかな押圧力の増加を得て、それがタイミングｔ１で第１閾値ＴＨ１を超えると、容積空間４の物理的変化量として検出したセンサ出力ＥＳは、外部からの押圧力が緩やかな押圧力の増加を得て、それが第１閾値ＴＨ１を超えると、その時から監視する時限Ｘ1の時限だけ計測を開始し、時限Ｘ1の時限になったとき、信号検出出力ＡＣが“Ｈ”から“Ｌ”になる。
【００４６】
容積空間４の物理的変化量が移動限界になり、容積空間４の物理的変化量の検出がなくなると、センサ出力ＥＳの値が低下し、タイミングt3で第１閾値ＴＨ１未満に低下すると、タイミングt4で時限Ｙ1の時限を計測し、その間にセンサ出力ＥＳがアース電位、即ち、アース電位閾値ＴＨ０になるか否かを判断る。センサ出力ＥＳがアース電位閾値ＴＨ０になったとき、センサ出力ＥＳが時限Ｚ１以上継続された後、センサ出力ＥＳがアース電位閾値ＴＨ０から信号検出出力ＡＣの“Ｌ”に落ち着く。
前記センサ出力ＥＳの検出信号をアース電位閾値ＴＨ０として定常状態に戻るまでの二次関数特性に従った変化の検出となる。この前記センサ出力ＥＳの検出信号をアース電位閾値ＴＨ０として定常状態に戻るときには、センサ出力ＥＳの検出直後から所定の時限Ｚ1以上継続された時限内に、センサ自体の正常・異常をセンサ出力ＥＳが検出信号で判別する。
例えば、センサ出力ＥＳが容積空間４の物理的変化量が正圧であったとき、その正圧の解除でセンサ出力ＥＳは負圧で押圧されたことになる。
【００４７】
定常状態に戻るときのセンサ出力ＥＳは、容積空間４に加えられた外部からの押圧力を、容積空間４で形成した物理的変化量として検出した後、その戻りは、対向する基材１と発泡体１０に形成された所定の容積空間４で外気を導入するものであり、その特性は通常、立ち上がりが急峻な二次曲線の変化となる。したがって、センサ出力ＥＳが０．５Ｖに戻る時間を計算しておけば、それに要する時間との比較により、二次曲線を描く変化であるか否かを判別できる。勿論、センサ出力ＥＳが０．５Ｖに戻る時間が長いと二次曲線の変化である確率が高い。センサ出力ＥＳの回復時間が０．５Ｖに戻るまでの時間は、二次曲線を描く場合の方が長くなる。したがって、実験でその時限を割り出すことにより、センサ出力ＥＳの回復時間から正常・異常を判断してもよい。
そして、センサ出力ＥＳの回復時間が略決定されるから、時間のみを判断基準とする時限Ｚ1の設定を前提としてもよい。
また、０〜０．５Ｖと変化するセンサ出力ＥＳを、５〜１００回サンプリングし、サンプリングした電圧の差が大きい場合には、二次曲線の変化である確率が高い。この比較の場合には信頼性の高い結果が得られる。勿論、複数回サンプリングして、そのサンプリングした電圧からセンサ出力ＥＳの回復の正常・異常を判断してもよい。
即ち、信号検出出力ＡＣとして容積空間の物理的変化量を検出するセンサＳＥＮが、物理的変化量を検出するのみならず、自己の性能も確認し、フェイルセーフの接触検出を可能としている。
【００４８】
容積空間４の物理的変化量として検出するセンサＳＥＮは、外部からの押圧力が急激（例えば、２５０ｍｍ/ｓ）に増加する場合には、図１３に示すように、センサ出力ＥＳが急激に上昇する。このとき、タイミングt1でセンサ出力ＥＳが第２閾値ＴＨ２を超え、監視する時限Ｘ2に到達したタイミングt2のとき、信号検出出力ＡＣが“Ｈ”から“Ｌ”に変化する。即ち、容積空間４の物理的変化量として検出したセンサ出力ＥＳは、外部からの押圧力が急激に大きな押圧力となり、それが第２閾値ＴＨ２を超え（タイミングt1）と、その時から時限Ｘ2を計測開始し、タイミングt1で時限Ｘ2の時限になったとき、信号検出出力ＡＣが“Ｈ”から“Ｌ”となる。
【００４９】
また、容積空間４の物理的変化量が移動できる限界になり、容積空間４の物理的変化量の検出がなくなると、センサ出力ＥＳが低下し、タイミングt3で第２閾値ＴＨ２未満になると、時限Ｙ2を計測開始し、その間にセンサ出力ＥＳがアース電位閾値ＴＨ０になるか否かを判断し、タイミングt4でセンサ出力ＥＳがアース電位閾値ＴＨ０になったとき、センサ出力ＥＳが時限Ｚ2以上継続された後、センサ出力ＥＳがアース電位閾値ＴＨ０から、信号検出出力ＡＣは本来の電圧の“Ｌ”に落ち着く。前記センサ出力ＥＳの検出信号をアース電位閾値ＴＨ０として定常状態に戻るまでの二次関数特性に従った変化となる。
この前記センサ出力ＥＳの検出信号をアース電位閾値ＴＨ０から定常状態の電圧に戻るときには、センサ出力ＥＳのアース電位閾値ＴＨ０の検出直後から所定の時限Ｚ２以上継続された時限内に、センサＳＥＮ自体の正常・異常を自己の検出出力のセンサ出力ＥＳで検出して判別するものである。
例えば、センサ出力ＥＳが容積空間４の物理的変化量が正圧であったとき、その正圧の解除でセンサ出力ＥＳは負圧で押圧されたことになる。
【００５０】
定常状態に戻るときのセンサ出力ＥＳは、容積空間４に加えられた外部からの押圧力を、容積空間４の物理的変化量として検出した後、その戻りは、対向する基材１と発泡体１０に形成された所定の容積空間４で外気を導入するものであり、通常、二次曲線の変化となる。したがって、センサ出力ＥＳが０．５Ｖに戻る時間を計算で出した値とそれに要する時間との比較により、または、二次曲線を描く変化であるか否かを判別し、センサ出力ＥＳが０．５Ｖに戻る時間が長いと二次曲線の変化である確率が高いとして正常・異常の判断を行うこともできる。また、０〜０．５Ｖと変化するセンサ出力ＥＳを複数回サンプリングし、そのサンプリングしたピーク電圧によって判断した場合には、二次曲線の変化である確率は高くなる。更に、“Ｈ”から“Ｌ”、“Ｌ”から“Ｈ”に信号変換するときの時限が決定され、特に、“Ｌ”から“Ｈ”に信号変換されるとき、最大時限がタイミングt3で第２閾値ＴＨ２未満となってからの時限が、一義的に所定の値以下と決定されるから、その時限のみを使用することもできる。
【００５１】
ここで、容積空間４に加えられた外部からの押圧力を、容積空間４の物理的変化量としてセンサＳＥＮで検出するセンサ信号出力回路３１は、センサ出力ＥＳの第１閾値ＴＨ１の検出及びその動作の継続を測定する時限Ｘ1、時限Ｙ1の時限を計測するタイマ及び時限Ｘ2、時限Ｙ2の時限により構成されている。
また、センサ出力ＥＳの検出直後から所定の時限内に、センサＳＥＮ自体の正常・異常をセンサ出力ＥＳの検出で判別するセンサ異常判別回路３２は、センサ出力ＥＳのアース電位閾値ＴＨ０になったことを検出し、時限Ｚ１または時限Ｚ２の時限を計測した後、センサ出力ＥＳが容積空間４の物理的変化量として検出した後の戻りの特性であるか否かを判断し、センサＳＥＮ自体の正常・異常を前記センサ出力ＥＳの検出信号で判別するものである。
したがって、信号検出出力ＡＣとして容積空間の物理的変化量を検出するセンサＳＥＮが、物理的変化量を検出するのみならず、自己の性能も確認し、フェイルセーフの接触検出を可能としている。
【００５２】
次に、マイクロプロセッサ３０による制御について説明する。
このルーチンは、目的の人形ロボット５０等の電源投入またはその投入以前に別電源を投入し、繰り返し動作させるものである。
マイクロプロセッサ３０の電源投入の後、ステップＳ００で初期設定を行う。本実施の形態の初期設定では、第１閾値ＴＨ１＝１［Ｖ］、第２閾値ＴＨ２＝２．５［Ｖ］、アース電位閾値である第３閾値ＴＨ３＝ＴＨ０＝０［Ｖ］、監視する時限Ｘ1、時限Ｙ1、時限Ｚ1、監視する時限Ｘ2、時限Ｙ2、時限Ｚ2の時限を書き込む。また、マイクロプロセッサ３０の検出出力である信号検出出力ＡＣを“Ｈ”と初期設定を行う。
次いで、ステップＳ０１でセンサ出力ＳＥの徐々に変化するのを検出する第１閾値ＴＨ１＝１［Ｖ］以上であるかを判断する。第１閾値ＴＨ１＝１［Ｖ］以上が判断されると、ステップＳ０２でセンサ出力ＳＥの急激に変化するのを検出する第２閾値ＴＨ２＝２．５［Ｖ］以上であるかを判断する。ステップＳ０１でセンサ出力ＳＥの徐々に変化するのを検出する第１閾値ＴＨ１＝１［Ｖ］未満と判断しているときには、第１閾値ＴＨ１＝１［Ｖ］以上が到来するまで、ステップＳ０１でセンサ出力ＳＥの出力の上昇を待機する。
【００５３】
ステップＳ０１でセンサ出力ＳＥは第１閾値ＴＨ１＝１［Ｖ］以上であり、ステップＳ０２でセンサ出力ＳＥの出力は第２閾値ＴＨ２＝２．５［Ｖ］以上でないと判断された時、容積空間４の物理的変化量が徐々に増加し、センサ出力ＥＳの前縁が徐々に増加していることを示している。
即ち、ステップＳ０２でセンサ出力ＳＥの出力が第２閾値ＴＨ２＝２．５［Ｖ］以上でないと判断されたとき、センサ出力ＳＥの出力は第１閾値ＴＨ１＝１［Ｖ］以上、第２閾値ＴＨ２＝２．５［Ｖ］未満であることから、容積空間４の物理的変化量が徐々に増加しているとして、ステップＳ０３の処理に入る。
しかし、ステップＳ０２でセンサ出力ＳＥの出力が第２閾値ＴＨ２＝２．５［Ｖ］以上と判断されると、容積空間４の物理的変化量が急激に増加していることを意味するから、ステップＳ１４でセンサ出力ＥＳの出力によりステップＳ１５で信号検出出力ＡＣが“Ｈ”から“Ｌ”と変化する。
【００５４】
ステップＳ０１でセンサ出力ＳＥの出力は、第１閾値ＴＨ１＝１［Ｖ］以上が判断され、ステップＳ０２でセンサ出力ＳＥの出力が第２閾値ＴＨ２＝２．５［Ｖ］以上でないと判断されると、ステップＳ０３でセンサ出力ＥＳの監視する時限Ｘ1の長さ以上になったとき、ステップＳ０４で信号検出出力ＡＣを“Ｈ”から“Ｌ”に変化する。
その後、センサ出力ＳＥの出力は、容積空間４の物理的変化量が増加しつくした時、徐々に増加する物理的変化量の増加が停止し、物理的変化量が減少に転じ、センサ出力ＳＥの出力は、ステップＳ０５で第１閾値ＴＨ１＝１［Ｖ］未満を判断し、ステップＳ０６で時限Ｙ1になるまで信号検出出力ＡＣは“Ｌ”から“Ｈ”に変化することはない。ステップＳ０６で時限Ｙ1の経過を判断し、ステップＳ０４からステップＳ０６のルーチンにより時限Ｙ１の経過を確認し、時限Ｙ１の終了で、ステップＳ０７で信号検出出力ＡＣを“Ｌ”から“Ｈ”に変化させる。
【００５５】
ステップＳ０８でセンサ出力ＥＳがアース電位閾値である第３閾値ＴＨ３＝ＴＨ０＝０［Ｖ］になっているか判断し、ステップＳ０８でそれが確認されたら、ステップＳ０９で時限Ｚ1の経過を判断し、その経過を判断した後に、ステップＳ１０でセンサＳＥＮの回復特性があるか否かを判断し、センサＳＥＮの回復特性が確認された時、ステップＳ１１でセンサ検出動作に異常がないので、センサＳＥＮに異常はないと判断して、そのまま動作を継続する。
ステップＳ１０でセンサＳＥＮの回復特性が確認されないとき、ステップＳ１２でカウンタＮに「１」インクリメントし、異常の検出を行った回数を計数し、ステップＳ１３でモニタ異常表示出力１７のＬＥＤを点灯させ、その旨の出力を表示する。この出力は、人形ロボットの制御信号でもよいし、他の表示手段でもよい。
【００５６】
ここでは、外部からの押圧力が緩やか（５ｍｍ/ｓ）に押圧力を増加する場合について説明したが、外部からの押圧力が急激（２５０ｍｍ/ｓ）な場合には、図１３に示すように、センサ出力ＥＳが急激に変化する場合に好適となる。
なお、本実施の形態では、外部からの押圧力が緩やかな場合と、急激な場合とに５ｍｍ/ｓの変化と、２５０ｍｍ/ｓの変化について分けているが、本発明を実施する場合には単一の設定でもよいし、３個以上の押圧値で設定してもよい。しかし、人間に対する安全性の問題であれば、応答性が高いものが好適であるが、緩やかな場合と急激な場合とに１ｍｍ/ｓの変化と、５００ｍｍ/ｓの変化範囲の試験に合格するものであればよい。
ステップＳ０１でセンサ出力ＳＥの徐々に変化するのを検出する第１閾値ＴＨ１＝１［Ｖ］以上であるか、ステップＳ０２でセンサ出力ＳＥの急激に変化するのを検出する第２閾値ＴＨ２以上であるかを判断する。ステップＳ０２でセンサ出力ＳＥが第２閾値ＴＨ２以上に変化すると判定された場合には、ステップＳ１４でセンサ出力ＳＥの出力は時限Ｘ2以上継続しているか判断し、時限Ｘ2以上、継続したときには、ステップＳ１５で信号検出出力ＡＣを“Ｈ”から“Ｌ”とする。ステップＳ１６でセンサ出力ＳＥが第２閾値ＴＨ２未満になるかを判断し、センサ出力ＳＥが第２閾値ＴＨ２未満になるまでステップＳ１５及びステップＳ１６に留まる。
センサ出力ＳＥが第２閾値ＴＨ２未満になると、ステップＳ１７で時限Ｙ２まで継続しているかを判断し、ステップＳ１７で時限Ｙ2まで継続していると判断すると、ステップＳ１５からステップＳ１７で時限Ｙ2になるまで信号検出出力ＡＣは“Ｌ”から“Ｈ”に変わることはない。ステップＳ１８で時限Ｙ2まで継続していると判断すると信号検出出力ＡＣは“Ｌ”から“Ｈ”に変わる。
時限Ｙ2が経過するとステップＳ１９でセンサ出力ＳＥがアース電位閾値である第３閾値ＴＨ３＝ＴＨ０＝０［Ｖ］のアース電位か否かを判断し、ステップＳ１９でセンサ出力ＳＥがアース電位閾値である第３閾値ＴＨ３＝ＴＨ０＝０［Ｖ］になっているか判断し、ステップＳ１９でそれが確認されたら、ステップＳ２０で時限Ｚ2の経過を判断し、その経過を判断した後に、ステップＳ１０でセンサＳＥＮの回復特性があるか否かを判断し、センサＳＥＮの回復特性が確認された時、ステップＳ１１でセンサＳＥＮの検出動作に異常がないかを判断し、異常が検出されないとき、そのまま動作を継続する。
【００５７】
ステップＳ０９で時限Ｚ2の経過またはステップＳ２０で時限Ｚ2の経過を判断し、その経過を判断した後、ステップＳ１０でセンサＳＥＮの回復特性があるか否かを判断し、センサＳＥＮの回復特性が確認された時、ステップＳ１１でセンサ検出動作に異常がないので、そのまま動作を継続する。
ステップＳ１０でセンサＳＥＮの回復特性が確認されないとき、ステップＳ１２でカウンタＮに「１」インクリメントし、異常の検出を行った回数を加算する。ステップＳ１３でフォトカプラ１７に出力し、そのＬＥＤ出力はフォトトランジスタに抵抗Ｒ5を介したセンサ異常判別回路３２からセンサＳＥＮ自体の異常として出力される。
また、図１１に示すように、センサ出力ＥＳのように、外部からの容積空間４に付与される押圧力が緩やかに押圧力を増加している場合に、図１２に示すように、外部からの押圧力が急激に加わった場合には、センサ出力ＥＳに急激に外力付加Ｐ（外乱）が付与されるが、このときには、第２閾値ＴＨ２を超えるから、押圧力が急峻な場合と同様に動作する。
そして、時限Ｘ1を「０」とすると、第１閾値ＴＨ１が１回でも超えると、信号検出出力ＡＣがその超えた時点で“Ｈ”から“Ｌ”に変わる。特に、この場合には、外力付加Ｐの後の時限を残りの時限Ｘ1から算出し、時限Ｘ1を修正してもよい。
時限Ｘ1と時限Ｘ2はその時限を「０」と設定すると、応答速度を速くすることができる。
【００５８】
このように、容積空間４に加えられた外部からの押圧力を、容積空間４の物理的変化量としてセンサＳＥＮで検出するセンサ信号出力回路３１は、センサ出力ＥＳの第１閾値ＴＨ１の検出及びその動作の継続を測定する時限Ｘ1、時限Ｙ1の時限を計測するタイマにより構成されている。
また、センサ出力ＥＳの検出直後から所定の時限内に、センサＳＥＮ自体の正常・異常をセンサ出力ＥＳの検出で判別するセンサ異常判別回路３２は、センサ出力ＥＳの第２閾値ＴＨ２未満になったことを検出し、時限Ｚ1の時限を計測した後、センサ出力ＥＳが容積空間４の物理的変化量として検出した後の戻りの特性であるか否かを判断し、センサＳＥＮ自体の正常・異常を前記センサ出力ＥＳの検出信号で判別するものである
【００５９】
なお、図１０に示す圧力センサからなるセンサＳＥＮは、抵抗Ｒ1を介してマイクロプロセッサ３０に入力している。マイクロプロセッサ３０の出力は、限流抵抗Ｒ2を介してフォトカプラ１６に出力し、そのＬＥＤ出力はフォトトランジスタに抵抗Ｒ3を介したセンサ信号出力回路３１からの信号検出出力ＡＣとして出力されている。
また、センサＳＥＮ自体の異常表示の場合は、センサＳＥＮは、抵抗Ｒ1を介してマイクロプロセッサ３０に入力している。マイクロプロセッサ３０の出力は、限流抵抗Ｒ4を介してフォトカプラ１７に出力し、そのＬＥＤ出力はフォトトランジスタに抵抗Ｒ5を介したセンサ異常判別回路３２からセンサＳＥＮ自体の異常として出力されている。
このように、人形ロボット５０とは絶縁状態でセンサＳＥＮの検出出力が得られ、センサＳＥＮからなるセンサ信号出力回路３１とセンサ異常判別回路３２との配線が予測しない制御でショートすることがない。
【００６０】
本実施の形態の接触検出装置は、特定の形状に形成された基材１と、基材１を被覆する発泡合成樹脂材料または発泡ゴム材料を特定の形状に形成してなる発泡体１０と、対向する基材１と発泡体１０に形成された所定の容積空間４と、容積空間４に加えられた外部からの押圧力を物理的変化量として検出するセンサＳＥＮとを具備し、センサＳＥＮは、容積空間４に加えられた外部からの押圧力を、容積空間４の物理的変化量としてセンサＳＥＮで検出するセンサ信号出力回路３１と、センサ信号出力回路３１の信号検出出力ＡＣの検出直後から所定の時限内に、センサＳＥＮ自体の正常・異常をセンサ出力ＥＳの検出信号で判別するセンサ異常判別回路３２を搭載したものである。
【００６１】
本実施の形態の接触検出装置は、対向する特定の形状に形成された基材１と、特定の形状に形成された基材１を被覆する特定の容積空間４と、容積空間４に加えられた外部からの押圧力を、容積空間４で形成した容積空間４の物理的変化量として検出するセンサＳＥＮとを具備し、センサＳＥＮは、容積空間４に加えられた外部からの押圧力を物理的変化量としてセンサＳＥＮで検出するセンサ信号出力回路３１、及び、センサ異常判別回路３２は、センサ信号出力回路３１のセンサ出力ＥＳの検出直後から所定の時限内に、センサＳＥＮ自体の正常・異常を前記センサ出力で判別するものである。
【００６２】
したがって、特定の形状に形成された基材１を被覆する積層接着した発泡合成樹脂材料または発泡ゴム材料を特定の形状に形成してなる発泡体１０の片側に形成された所定の容積空間４と、容積空間４内に圧縮された空気が、基材１及び／または発泡体１０から外気に漏れ難くした容積空間４に形成し、基材１と発泡体１０の外部からの押圧力を、容積空間４の物理的変化量としてセンサＳＥＮで検出し、センサ出力ＥＳの時限をもって検出出力とするものである。
【００６３】
漏れ難くした容積空間４内の、例えば、圧縮された空気は、基材１と発泡体１０の片側または両側に加えられた押圧力によってセンサＳＥＮで物理的変化を得る。物理的変化量として、空気圧、空気の流れ、空気の流速、空気量の変化等として検出する。
このように、基材１及び／または発泡体１０から物理的変化量として、漏れ難くした容積空間４内の物理的変量を検出するものであるから、広範な範囲に加えられた圧力を検出することができ、二次元的な平面的構成であっても、三次元的な立体的構成であっても施工でき、所定以上の外部からの圧力を検出できる。
また、容積空間４の物理的変化として検出するセンサＳＥＮは、センサ信号出力回路３１の容積空間４に加えられた外部からの押圧力を、容積空間４の物理的変化量としてセンサＳＥＮで検出し、通常の容積空間４に加えられた接触圧等として検出する。しかし、センサ異常判別回路３２は、センサ信号出力回路３１のセンサ出力ＥＳの検出直後から所定の時限内に、前記センサ自体の正常・異常を前記センサ出力で判別するから、前記センサ信号出力回路の動作の終了時点で、センサ異常判別回路３１がセンサＳＥＮに異常がないことを補償できる。
特に、容積空間４の物理的変化を検出するセンサ出力ＥＳが、時間の経過に伴って徐々に加わる外力と、急激に加わる外力とを区別して監視し、短時間に接触を判別することができる。
【００６４】
本実施の形態の接触検出装置のセンサ異常判別回３２路は、センサ信号出力回路ＡＣが容積空間４に加えられた外部からの押圧力を検出する定常状態に戻るとき、センサＳＥＮの検出信号を第３閾値（ＴＨ０）として定常状態に戻るまでの特性を基に、センサＳＥＮ自体の正常・異常を判断する。
本実施の形態の接触検出装置のセンサ異常判別回路３２は、センサ信号出力回路３１が容積空間４に加えられた外部からの押圧力を検出する定常状態に戻るとき、センサＳＥＮの検出信号を第３閾値（ＴＨ０）として定常状態に戻るまでのセンサＳＥＮの出力特性を基に、前記センサＳＥＮ自体の正常・異常を判断するものである。
【００６５】
したがって、センサＳＥＮが検出したセンサ出力ＥＳは、容積空間４に加えられた外部からの押圧力を容積空間４の物理的変化量として検出し、センサＳＥＮが検出したセンサ出力ＥＳは、容積空間４に加えられた外部からの押圧力を容積空間４の物理的変化量として検出し、第３閾値ＴＨ０（ＴＨ３），第１閾値ＴＨ１，第２閾値ＴＨ２等の複数の閾値と比較して、その信号検出出力として正常・異常の２値信号を得るセンサ信号出力回路３１と、センサ信号出力回路３１のセンサ出力ＥＳの異常状態から定常状態に戻る２値信号の変化直後から、第３閾値ＴＨ０（ＴＨ３），第１閾値ＴＨ１，第２閾値ＴＨ２等の所定の閾値以下で、所定の時限Ｘ1，Ｘ2内に、正常・異常を前記信号検出出力３１で判別するセンサ異常判別回路３２を具備し、センサ信号出力回路３１が動作する毎に、センサＳＥＮの正常・異常が確認され、特に、次の動作に掛けて、センサ異常判別回路３２が動作しなければ、安全に動作することを意味する。
特に、センサ信号出力回路３１が容積空間４に加えられた外部からの押圧力を検出する定常状態に戻るとき、センサＳＥＮの検出信号を第３閾値（ＴＨ０）として定常状態に戻るまでの二次関数特性を基に、センサＳＥＮ自体の正常・異常を判断するものである。結果的に、二次関数特性を経てセンサ信号出力回路３１の動作に入ることができれば正常である。
【産業上の利用可能性】
【００６６】
本発明を実施する場合には、容積空間４に別構成のファンを配設し、容積空間４を所定の物理的変量を空気圧、空気の流れ、空気の流速、空気量の変化等として物理的変化量を計測することができる。しかし、図示しないファンを取付けると部品点数が増加し、ファンの管理が必要になる。ところが、本実施の形態では、部品点数が増加しなくなる。しかし、ファンによる容積空間４の物理的変量を空気圧、空気の流れ、空気の流速、空気量の変化等を閾値として設定することもできる。
なお、複数の閾値、第１閾値、第２閾値、第３閾値は、２個または３個またはそれ以上とすることもでき、少なくとも２個または３個以上であればよい。そして、センサＳＥＮの検出信号に使用する第３閾値（ＴＨ０）は、アース電位であるが、他の負の電圧または正の第１閾値よりも低い電圧とすることができる。
そして、本実施の形態で使用する２値信号とは、アナログ値ではなく、“Ｈ”から“Ｌ”または“Ｌ”から“Ｈ”、“１”から“０”または“０”から“１”のデジタル信号であればよい。
【符号の説明】
【００６７】
１    基材
４    容積空間
４Ａ，４Ｂ，４Ｃ    空間維持材
１０    発泡体
１１，１２，１３    発泡合成樹脂材料
３０    マイクロプロセッサ
３１    センサ信号出力回路
３２    センサ異常判別回路
５０    人形ロボット
ＳＥＮ    センサ
ＴＨ０＝ＴＨ３    第３閾値（アース電位閾値）
ＴＨ１    第１閾値
ＴＨ２    第２閾値
Ｘ1，Ｙ1，Ｚ1    時限
Ｘ，Ｙ2，Ｚ2    時限
ＡＣ    信号検出出力
ＥＳ    センサ出力
【図１】
2019045392.tif 000003
【図２】
2019045392.tif 000004
【図３】
2019045392.tif 000005
【図４】
2019045392.tif 000006
【図５】
2019045392.tif 000007
【図６】
2019045392.tif 000008
【図７】
2019045392.tif 000009
【図８】
2019045392.tif 000010
【図９】
2019045392.tif 000011
【図１０】
2019045392.tif 000012
【図１１】
2019045392.tif 000013
【図１２】
2019045392.tif 000014
【図１３】
2019045392.tif 000015
【図１４】
2019045392.tif 000016
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
特定の形状に形成された基材と、
前記基材を被覆する発泡合成樹脂材料または発泡ゴム材料を特定の形状に形成してなる発泡体と、
対向する前記基材と前記発泡体に形成された所定の容積空間と、
前記容積空間に加えられた外部からの押圧力を、前記容積空間で形成した物理的変化量として検出するセンサとを具備する接触検出装置にあって、
前記センサが検出したセンサ出力は、前記容積空間に加えられた外部からの押圧力を前記容積空間の物理的変化量として検出し、複数の閾値と比較して、その信号検出出力として正常・異常の２値信号を得るセンサ信号出力回路と、
前記センサ信号出力回路の前記センサ出力の異常状態から定常状態に戻る２値信号の変化直後から、所定の閾値以下で、所定の時限内に、前記センサ自体の正常・異常を判別するセンサ異常判別回路と
を有していることを特徴とする接触検出装置。
【請求項２】
前記センサ異常判別回路は、前記センサ信号出力回路が前記容積空間に加えられた外部からの押圧力を検出する定常状態に戻るとき、前記センサの検出信号をアース電位として定常状態に戻るまでの特性を基に、前記センサ自体の正常・異常を判別することを特徴とする請求項１に記載の接触検出装置。
【手続補正２】
【補正対象書類名】明細書
【補正対象項目名】全文
【補正方法】変更
【補正の内容】
【発明の詳細な説明】
【技術分野】
【０００１】
本発明は、特定の形状に形成された基材と発泡合成樹脂で特定の形状を削りだした発泡体からなり、前記基材と前記発泡体との間の片側または両側に容積空間を形成し、その容積空間の物理量の変化をセンサによって検出する接触検出装置に関するもので、特に、発泡合成樹脂で特定の形状を成型したり、削り出したり、その容積空間の内側の面を漏れがないようにし、何れの位置に接触しても検出できる二次元、三次元の接触検出装置に関するものである。
【背景技術】
【０００２】
従来の一般的な発泡合成樹脂成型体の成型方法及び発泡合成樹脂成型体としては、ポリスチレンを微細な泡で発泡させ硬化させた発泡ポリスチレンを使用し、その表面に塗料を塗布する方法がある。例えば、発泡ポリスチレンに木工ボンドを塗り、その木工ボンドが固まったとき、スプレーで塗装する方法がある。
また、水性ボンドに顔料を混ぜて、直接、発泡ポリスチレンに塗布する方法もある。そして、和紙を細かく粉砕し、粉体化したものに木工ボンドや和糊を混練して発泡ポリスチレンに貼り付け、それを水性塗料のネオカラーやポスターカラーで塗装する方法もある。更に、発泡ポリスチレンを基材にしてそれにＦＲＰ造形を行う方法もある。
これらはいずれも発泡合成樹脂成型体に塗布した塗装の厚みが厚くなり、形式的な見栄えが良くても、実用的な使用に耐えるものではなかった。
【０００３】
酷似する技術を検索すると、直接、発泡合成樹脂材を特定の形状に削りだす発泡合成樹脂の成型方法及びその成型体は存在していないが、発泡層付き内装品の技術を特許文献１で開示している。
即ち、特許文献１は発泡層付きの表皮材が、基材に分散形成された吸気路からの真空吸引により基材に吸着されて接着された発泡層付き内装品において、表皮材が熱可塑性であり、その表面形状が、表皮材を加温処理により軟化させ、その状態で基材に接着させる際に、表皮材用真空吸引型による真空吸引により賦形されている構成を有し、表皮材が表皮材用真空吸引型の型面に沿って賦形される技術である。これにより、表面品質が向上するだけでなく、意匠の制約が少なくなり、その自由度が拡大され、基材表面に対して非相似形状に形成することができる。
【０００４】
発泡層付きの表皮材が、基材に分散形成された吸気路からの真空吸引により基材に吸着されて接着された発泡層付き内装品とすることにより、発泡層と表皮材との接着力を強くする技術が開示されている。しかし、特許文献１には、厚手の発泡層についてどのように適応できるかを開示するものはない。原理的には、発泡合成樹脂材を特定の形状に削り出して発泡合成樹脂を成形することは困難と思われる。
【０００５】
また、特許文献２は、発泡合成樹脂材料よりなる芯材の一面に畳表が積層され、他面に機能化剤含有クッションシートが積層され、更に、前記クッションシートに滑り止め層が部分的に積層されることにより、薄くて軽量で、施工性に優れ、滑り難いという技術を開示している。
【先行技術文献】
【特許文献】
【０００６】
【特許文献１】特開２００５−１２５７３６号公報
【特許文献２】特開２０１０−２３６２２０号公報
【特許文献３】特開２０１４−１５６５２３号公報
【特許文献４】特開２０１４−１８８３９１号公報
【特許文献５】特願２０１６−１８０１１０号
【発明の概要】
【発明が解決しようとする課題】
【０００７】
しかし、従来の一般的な発泡合成樹脂成型体は、例えば、量産しない製品のカバー、特殊な椅子の肘掛け、特殊車両或いは改造車のダッシュボード等に使用すると、機械的強度が足りないとか、塗料が塵のように剥がれ落ちて周辺を汚したりして、廉価には実用的なものはできなかった。勿論、発泡ポリスチレンを基材にしてそれにＦＲＰ造形を行う技術は、機械的強度は上げることができるものの、弾性に欠き、また、高価であるという問題があった。
また、特許文献１及び特許文献２では、発泡合成樹脂成型体とクッションシートとの接着力を強くすることを開示している。ところが、形式的に試作品を形成する原材料として発泡性合成樹脂が使用されているものの、少量生産品にこの技術を使用するということは実現されていない。特に、例えば、発泡ポリスチレンのような発泡合成樹脂成型体は、脆く、表面を削って所定の形状に仕上げ、かつ、表面を見栄え良く平滑化することができなかった。
【０００８】
そして、発泡性合成樹脂にベントホールと呼ばれる穴が存在すると、当該ベントホールを穴埋めするには、残余の発泡性合成樹脂の厚みによって左右されるが熟練者でないと効率良く成型できない。また、ベントホールを穴埋めすると発泡合成樹脂成型体の重量バランスに微妙な違いが出て、使途によっては、その重量バランスの調整が必要な場合がでてくる。
【０００９】
更に、先行文献３及び先行文献４は、上記問題点を解消し、基材として発泡合成樹脂材料を用いて、特定の形状を削り出して弾性に富む成型体として、塗装面の厚みを厚くすることなく、見栄えの良い、廉価な発泡合成樹脂成型体を得ている。しかし、特許文献３及び特許文献４が接触センサを用いるとなると、表面に金属電極、導電性塗料等を塗布する必要性があり、相手が導電体のものに使用が限られていた。
また、市販の感圧スイッチを用いると、押圧力を受けている部位の感圧スイッチ自身は作動するが、他の感圧スイッチが配設されていない箇所の圧力検出ができなかった。また、感圧スイッチはその絶縁基板（シート）の変形が自在にならないので立体的に形成することができなかった。
しかし、一般に、センサは接触センサ、感圧スイッチ等の量産化されている普及型センサは廉価であるが、量産化されていないセンサは高価である。例えば、静電容量の変化または歪ゲージを使用した圧力センサ等は廉価に供給されている。
一方、電気回路はデジタル回路とアナログ回路が混在するところでは、デジタル回路のパルスがパルス雑音となってアナログ回路に入る可能性が高いことから、アナログ回路に入り難い信号の使用が望ましく、かつ、ＩＣ化される等の小型化されているものが望ましい。
【００１０】
そこで、本発明者らは特許文献５に掲載の接触検出装置を発明した。即ち、特定の形状に形成された基材と、前記基材を被覆する１枚の発泡合成樹脂材料または発泡ゴム材料を特定の形状に形成してなる発泡体と、対向する前記基材と前記発泡体の片側に形成された所定の容積空間と、前記容積空間内に配設された連続気泡構造を有している空間維持材と、前記容積空間内及び前記空間維持材の圧縮された空気が、前記基材及び／または前記発泡体から外気に漏れ難くした前記容積空間を形成した補強層と、前記補強層で形成した前記容積空間及び前記空間維持材の物理的変化量として検出するセンサと、前記センサからのオン・オフ出力のオン時間またはオフ時間の長さをもって検出出力とし、前記特定の形状に形成された基材と、前記基材を被覆する１枚の発泡合成樹脂材料または発泡ゴム材料、または発泡合成樹脂材料または発泡ゴム材料を特定の形状に形成してなる前記発泡体が形成するコーナに埋設してなる出力回路とを具備する装置を開発した。
これによって、広範な範囲に加えられた圧力を検出することができ、二次元的な平面的構成であっても、三次元的な立体的構成であっても施工でき、所定以上の外部からの圧力を検出できる接触検出装置となった。
しかし、前記容積空間の物理的変化量として検出する接触検出装置においては、フェイルセーフとして設計されるのが一般的であるが、物理的変化量として検出するセンサについての信頼性を高める回路が存在していなかった。
【００１１】
そこで、本発明は従来の問題点を解消すべく、容積空間の物理的変化量を検出するセンサが物理的変化量を検出するセンサ信号出力回路及び次回の物理的変化量の検出に向けてセンサ自体の正常・異常をセンサ異常判別回路で判別できる接触検出装置の提供を課題とするものである。
【課題を解決するための手段】
【００１２】
請求項１の発明の接触検出装置は、特定の形状に形成された基材を被覆する形状の発泡体と、対向する前記基材と前記発泡体に形成された所定の容積空間と、前記容積空間に加えられた外部からの押圧力を、前記容積空間で形成した前記容積空間の物理的変化量として検出するセンサと、前記センサが検出したセンサ出力は、前記容積空間に加えられた外部からの押圧力を前記容積空間の物理的変化量として検出し、複数の閾値と比較して、その信号検出出力として正常・異常の２値信号を得るセンサ信号出力回路と、前記センサ信号出力回路の前記センサ出力の異常状態から定常状態に戻る２値信号の変化直後から、所定の閾値以下で、所定の時限内に、前記センサ自体の正常・異常を判別するセンサ異常判別回路で処理している。
【００１３】
ここで、上記特定の形状に形成された基材は、例えば、１枚以上の熱可塑性樹脂材料、または２枚以上を積層接着した熱可塑性樹脂材料を特定の形状に形成したもの、１枚以上の熱可塑性樹脂材料は、ソリッドタイプの樹脂としても、発泡体としてもよく、容積空間の容積変化が出現する硬度を有するものであればよい。
上記発泡体として使用する発泡合成樹脂材料は、存在する内部気泡同士が繋がっていない独立気泡体、存在する内部気泡同士が繋がっている連続気泡体の何れであってもよい。何れにせよ、前記容積空間の空気が外気に漏れ難く形成したものであればよい。
また、上記発泡体は、前記基材を発泡合成樹脂材料の１枚または複数枚積層接着したもので被覆し、特定の形状に形成するものである。通常、前記発泡体は前記発泡体を外部から被う構成となる。基材は、例えば、ロボット等の自走する自動生産装置に被覆し、その基材に対して前記発泡体を設けフェイルセーフ対応とするものである。
【００１４】
そして、上記容積空間は、前記基材及び前記発泡体との間の片側または両側に補強層を形成してもよい。この補強層は、前記基材及び／または前記発泡体から空気が外気に漏れ難くするものである。そのためには、補強層によって空気が通り抜け難くされている。射出成型金型で形成する金型によって冷やされるスキン層または別の材料で形成した空気の漏れを少なくするフィルムもこの補強層の１つである。
前記容積空間内の空気が外部からの圧力（外圧）により圧縮されたとき、その圧縮空気の一部が、前記容積空間から漏れ出さないように補強層を設けるのが望ましい。この補強層としては、目止め剤、穴埋め剤、下塗り剤、上塗り剤、仕上げ剤のうちの幾つかを選択できる。また、前記発泡体を形成する金型で形成したスキン層を、前記基材を被覆する１枚の発泡合成樹脂材料または発泡ゴム材料、または複数枚を積層接着した特定の形状に形成してなる発泡体とすることもできる。
また、前述した補強層の形成は、二次元的な表面的なものでも、三次元的（立体的）な処理でもよい。特に、三次元的な補強層は、前記補強層のみの強度というよりも、前記容積空間の強度及び緻密化が可能になる。前記補強は合成樹脂シートとすることもできる。
ここで、空気が漏れ難く形成した容積空間とは、空気が全く漏れない状態を意味するのではなく、空気が漏れても、それが前記センサの特性を変化する程度には至らないことを意味する。この補強層は、全く空気のリークがないものに限定されるものではなく、多少のリークが生じるものでよい。また、完全にリークのないものを製造し、そこに特定径のリーク路を形成してもよい。
特に本発明においては、容積空間に加えられた外部からの押圧力及びその回復の特性が必要である。
【００１５】
更に、上記空気が外気に漏れ難く形成した容積空間の物理的変化量として検出するセンサとしては、接触圧、気圧、圧力等の変化を歪量または静電容量の変化等として物理的の変量を空気圧、空気の流れ、空気の流速、空気量の変化等として検出する物理的変化量を計測するものである。また、このセンサには、「ＭＥＭＳフローセンサ」、「ＭＥＭＳ風量センサ」、「流速センサ」と呼ばれている空気の流れを生じさせる市販のマイクロフローセンサ（Ｄ６Ｆ−Ｖ０３Ａ１；オムロン製）を使用することもできる。原理的には、本発明を実施する場合には、「ＭＥＭＳフローセンサ」、「ＭＥＭＳ風量センサ」、「流速センサ」等と呼ばれている市販のセンサであれば使用可能であるが、本発明者らは、小型化が必要であったことから、Ｄ６Ｆ−Ｖ０３Ａ１（オムロン製）を使用した。また、市販のフローセンサとして、オムロン製品の他に（株）キーエンス、愛知時計電機（株）、（株）山武、ＡＳＫ（株）の製品も実施したが、原理的には、何れでも実施できることが確認された。
【００１６】
加えて、上記センサ信号出力回路は、前記容積空間に加えられた外部からの押圧力を、前記容積空間の物理的変化量として空気圧、空気の流れ、空気の流速、空気量の変化等として検出するセンサを含む回路で、具体的には、前記容積空間に加えられた外部からの押圧力を前記容積空間の物理的変化量として検出し、複数の閾値と比較して、その信号検出出力として正常・異常の２値信号を得る回路である。
また、上記センサ異常判別回路は、異常状態から定常状態に戻る２値信号の変化直後から、所定の閾値以下で、所定の時限内の特性によって判断している。この異常状態から定常状態に戻る２値信号の変化直後から所定の閾値以下で、所定の時限内の特性には、前記センサの過度現象が生じている回復特性で、２次関数の曲線の判断、設計時間よりも長い時間で定常の監視状態に入り、例えば、サンプリングによって２次関数曲線であることを確認する方法でもよい。
即ち、上記センサ異常判別回路は、前記センサ信号出力回路の前記センサ出力の異常状態から定常状態に戻る２値信号の変化直後から、所定の閾値以下の時限内で、２次関数曲線の検出で、または、所定の閾値に対する経過時間等で前記センサ自体の正常・異常を判別する回路が搭載されている。
【００１７】
例えば、上記センサ出力はマイクロプロセッサに付設されたＡ-Ｄ変換回路に入力されて信号処理され、その出力はデジタル処理されて、マイクロプロセッサから出力される。
即ち、容積空間の物理的変化として検出するセンサは、外部からの押圧力が第１閾値ＴＨ１以上となり、その状態がＸ1時間継続することにより前記センサ出力とし、また、第１閾値ＴＨ１未満となり、その状態がＹ1時間継続することにより前記センサ出力の終了とし、そして、外部からの押圧力が前記第１閾値ＴＨ１よりも大きい第２閾値ＴＨ２（ＴＨ１＜ＴＨ２）以上となり、その状態がＸ2時間継続することにより前記センサ出力とし、また、第２閾値ＴＨ２未満となり、その状態がＹ2時間継続することにより前記センサ出力の検出とする。更に、前記センサ出力の検出の後、Ｚ1時間継続した後に前記センサ出力の特性をセンサ異常判別回路の入力として確認し、特性の後に前記センサが前記容積空間に加えられた外部からの押圧力の入力を検出するものである。
ここで、実施物では、第１閾値ＴＨ１＝１［Ｖ］、第２閾値ＴＨ２＝２．５［Ｖ］、アース電位閾値ＴＨ０＝０［Ｖ］は、任意の正電圧、負電圧に設定してもよい。また、監視する時限Ｘ1、時限Ｙ1、時限Ｚ1、監視する時限Ｘ2、時限Ｙ2、時限Ｚ2の時限も、１または複数が「０」が設定される「０」以上の値が使用される。即ち、センサが検出したセンサ出力は、前記容積空間に加えられた外部からの押圧力を前記容積空間の物理的変化量として検出し、複数の閾値と比較して、その信号検出出力として正常・異常の２値信号を得るセンサ信号出力回路と、前記センサ信号出力回路の前記センサ出力の異常状態から定常状態に戻る２値信号の変化直後から、所定の閾値以下で、所定の時限内に、前記センサ自体の正常・異常を判別するセンサ異常判別回路が搭載されている。
【００１８】
請求項２の発明の接触検出装置の前記センサ異常判別回路は、前記センサ信号出力回路が前記容積空間に加えられた外部からの押圧力を検出する定常状態に戻るとき、前記センサの検出信号をアース電位として定常状態に戻るまでのセンサの出力特性を基に、前記センサ自体の正常・異常を判別するものである。
上記センサ異常判別回路は、前記センサ信号出力回路が前記容積空間に加えられた外部からの押圧力を検出する定常状態に戻るとき、前記センサの検出信号をアース電位として定常状態に戻るまでの二次関数特性を基に、前記センサ自体の正常・異常を判別するものである。結果的に、二次関数特性を経てセンサ信号出力回路の動作に入ることができれば正常とする判断である。
【発明の効果】
【００１９】
請求項１の発明の接触検出装置は、対向する特定の形状に形成された基材と、特定の形状に形成された基材を被覆する特定の容積空間と、前記容積空間に加えられた外部からの押圧力を、前記容積空間で形成した物理的変化量として検出するセンサとを具備し、センサ信号出力回路は前記容積空間に加えられた外部からの押圧力を、前記容積空間の物理的変化量として前記センサで検出する。また、センサ異常判別回路は、前記センサ信号出力回路のアース電位の検出時点から所定の時限内に、前記センサ自体の正常・異常を前記センサ出力で判別するものである。なお、本実施の形態では、アース電位を閾値として使用しているが、他の閾値を使用してもよい。
【００２０】
したがって、特定の形状に形成された基材を被覆する積層接着した発泡合成樹脂材料または発泡ゴム材料を特定の形状に形成してなる発泡体の片側に形成された所定の容積空間と、前記容積空間内に圧縮された空気が、前記基材及び／または前記発泡体から外気に漏れ難くした前記容積空間に形成し、前記基材と前記発泡体の外部からの押圧力を、前記容積空間の物理的変化量としてセンサで検出し、前記センサ出力の時限をもって検出出力とするものである。
【００２１】
漏れ難くした容積空間内の、例えば、圧縮された空気は、前記基材と前記発泡体の片側または両側に加えられた押圧力によってセンサで物理的変化を得る。物理的変化量として、空気圧、空気の流れ、空気の流速、空気量の変化等として検出する。
このように、前記基材及び／または前記発泡体から物理的変化量として、漏れ難くした容積空間内の物理的変量を検出するものであるから、広範な範囲に加えられた圧力を検出することができ、二次元的な平面的構成であっても、三次元的な立体的構成であっても施工でき、所定以上の外部からの圧力を検出できる。
また、前記容積空間の物理的変化として検出するセンサは、前記センサ信号出力回路の前記容積空間に加えられた外部からの押圧力を、前記容積空間の物理的変化量として前記センサで検出し、通常の前記容積空間に加えられた接触圧等として検出する。しかし、センサ異常判別回路は、前記センサ信号出力回路の前記センサ出力の検出直後から所定の時限内に、前記センサ自体の正常・異常を前記センサ出力で判別するから、前記センサ信号出力回路の動作の終了時点でセンサ異常判別回路がセンサに異常がないことを明らかに保証する。
特に、前記容積空間の物理的変化量を検出するセンサ出力は、時間の経過に伴って徐々に加わる外力、即ち、なだらかに立ち上がったり、立ち下がったりする外力と、短時間に急激に加わる外力とを区別して監視し、短時間に接触を判別することができる。
即ち、本願発明の容積空間の物理的変化量を検出するセンサが物理的変化量を検出するセンサ信号出力回路及び次回の物理的変化量の検出に向けてセンサ自体の正常・異常をセンサ異常判別回路で判別できる接触検出装置として提供することができ、殊に、次回、初回の起動時に対して、何時発生するか分からない接触直前のタイミングに風量センサ異常が発生していないかを判別できる。
【００２２】
請求項２の接触検出装置の前記センサ異常判別回路は、前記センサ信号出力回路が前記容積空間に加えられた外部からの押圧力を検出する定常状態に戻るとき、前記センサの検出信号をアース電位として定常状態に戻るまでのセンサの出力特性を基に、前記センサ自体の正常・異常を判別するものである。
したがって、前記センサ信号出力回路が動作する毎に、センサの正常・異常が確認され、特に、次の動作の前に、前記センサ異常判別回路が動作しなければ、次回、安全に動作することを意味する。
特に、前記センサ信号出力回路が前記容積空間に加えられた外部からの押圧力を検出する定常状態に戻るとき、前記センサの検出信号をアース電位として定常状態に戻るまでの二次関数特性を基に、前記センサ自体の正常・異常を判別するものである。結果的に、二次関数特性を経てセンサ信号出力回路の動作に入ることができれば正常である。
【図面の簡単な説明】
【００２３】
【図１】図１は本発明の実施の形態における接触検出装置の特定の形状に形成した基材の例示の斜視図である。
【図２】図２は本発明の実施の形態における接触検出装置の発泡体を積層接着した状態の説明図である。
【図３】図３は本発明の実施の形態における接触検出装置の基材と発泡体を装着した状態の断面の説明図である。
【図４】図４は本発明の実施の形態における接触検出装置の構造を説明する断面説明図である。
【図５】図５は本発明の実施の形態における接触検出装置で使用する空間維持材の他の事例の説明図である
【図６】図６は本発明の実施の形態における接触検出装置を取付ける人形ロボットの全体斜視図である。
【図７】図７は本発明の実施の形態における接触検出装置を取付ける人形ロボットの胸部の全体斜視図である。
【図８】図８は本発明の実施の形態における接触検出装置を人形ロボットの胸部の内側に配設した要部斜視図である。
【図９】図９は本発明の実施の形態における接触検出装置を人形ロボットの胸部の外側を押圧した場合の要部斜視図である。
【図１０】図１０は本発明の実施の形態における接触検出装置で使用するセンサ信号出力回路及びセンサ異常判別回路の全体回路図である。
【図１１】図１１は本発明の実施の形態における接触検出装置で使用する順次接触状態が増加するタイミングチャートである。
【図１２】図１２は本発明の実施の形態における接触検出装置で使用する外力付加があった場合のタイミングチャートである。
【図１３】図１３は本発明の実施の形態における接触検出装置で使用する一般的な接触状態のタイミングチャートである。
【図１４】図１４は本発明の実施の形態における接触検出装置の制御のフローチャートである。
【発明を実施するための形態】
【００２４】
以下、本発明の実施の形態について、図面に基づいて説明する。なお、本実施の形態において、図示の同一記号及び同一符号は、同一または相当する機能部分であるから、ここではその重複する説明を省略する。
【００２５】
［実施の形態］
図１乃至図９において、本発明の実施の形態の接触検出装置で使用する基材１は、人形（ひとがた）ロボット５０に使用されているプロテクタである。この基材１は、例えば、ソリッドタイプまたは発泡性の熱可塑性樹脂材料から構成されている。この基材１の切削加工前は、接着のために確保しているフランジ部２のサイズで蒲鉾型に形成されている。即ち、基材１の外表面１Ａは対向する発泡体１０からすれば、片側のみに切削加工が行われた容積空間４を形成している。勿論、容積空間４の切削加工は、基材１または発泡体１０側の一方のみ、或いは基材１及び発泡体１０の両方とすることができる。
なお、基材１の外表面１Ａのフランジ部２と発泡体１０の内表面１０Ｂとの間は、接着剤または両面テープで接合している。または、基材１の開口及び発泡体１０の開口の接合に従って接合してもよい。
【００２６】
本実施の形態では、基材１を特定の形状に形成した合成樹脂材料としているが、本発明を実施する場合には、アルミニウム板、ステンレス板、鉄板、銅板等として、ソリッドタイプの合成樹脂、発泡合成樹脂材料として形成することもできる。外表面１Ａは対向する発泡体１０からみれば、片側のみに切削加工が行われた容積空間４を形成しているが、本発明を実施する場合は、発泡体１０側を切削してもよいし、基材１と発泡体１０の両側を切削してもよい。何れにせよ、容積空間４は対向する基材１と発泡体１０の片側または両側に容積空間４が形成されればよい。容積空間４の厚みは、通常、３〜１５ｍｍ程度である。
【００２７】
基材１と発泡体１０との間に形成された容積空間４は、容積空間４自体が閉じられた空間となっている。したがって、外部から発泡体１０に圧力を加えると、その加えた圧力に応じて窪みが生じ、容積空間４の体積変化が生じ、圧力変化が生じる。容積空間４の体積変化は空気圧となってセンサＳＥＮに入るから、センサＳＥＮは発泡体１０に加えた圧力の検出となる。
なお、センサＳＥＮとして、市販のマイクロフローセンサ（Ｄ６Ｆ−Ｖ０３Ａ１；オムロン製）を使用する場合には、センサＳＥＮに風の流れを形成する必要がある。したがって、容積空間４の体積変化が生じるように、補助空間２０から外部に空気の流れを発生させる。また、基材１と発泡体１０との間に形成された容積空間４に付与する外力を解放すると、容積空間４の復元力で、センサＳＥＮには逆方向の空気の流れとなる。容積空間４に付与する外力はセンサＳＥＮで付与するものではないが、爾後、センサＳＥＮのみの説明とする場合もある。
【００２８】
本実施の形態の接触検出装置で使用する発泡体１０は、１枚以上の熱可塑性樹脂材料、または２枚以上を接着剤１５で積層接着した熱可塑性樹脂材料としての発泡合成樹脂材料１１，１２，１３を特定の形状に形成したものである。１枚以上の発泡合成樹脂材料１１，１２，１３は、発泡体１０で容積空間４の容積変化が出現する硬度を有するものであり、特に、発泡体１０は、存在する内部気泡同士が繋がっていない独立気泡体、存在する内部気泡同士が繋がっている連続気泡体の何れであってもよい。しかし、空気の漏れを少なくするには、極めて柔らかく、復元性がある独立気泡体が好ましく、これら発泡体１０の発泡倍率は１０〜５０倍程度である。スポンジ硬度は１０〜５０（ＪＩＳ−ｋ−６２５３）の範囲内が好ましく、通常、スポンジ硬度は１５〜４５がより好適であり、構造によっては多少変化する。
【００２９】
発明者らは、図２に示すように、市販されている３枚の特定の縦・横・高さ（１２００×９００×６０ｍｍ）の規格化されたポリエチレンからなる発泡合成樹脂材料１１，１２，１３を使用した。ポリエチレンからなる発泡合成樹脂材料１１，１２，１３は、各規格化サイズが単体で発泡成形されており、表面の発泡密度が高いスキン層となっている。そのベントホールＺはφ２〜１０ｍｍ程度の材料である。本実施例で５０ｍｍよりも厚い製品を得るには、規格化された発泡合成樹脂材料１１，１２，１３の表面がスキン層となっているから、その両面の接着面にゴム系の接着剤を塗布して積層接着した。なお、接着剤１５はゴム系の接着剤である。
【００３０】
ゴム系の接着剤１５としては、ゴム糊（ノントルエン缶入り（丸末油業））またはゴム糊であるボンド(ＧＳＥＮ０Ｘ７(コニシ株))を接着する両面に薄く塗り、そして乾燥させ、接着面を対向させて圧縮し接着した。ゴム系の接着剤１５はボンド(ＧＳＥＮ０Ｘ７(コニシ株))であり、シクロヘキサン、ｎ−ヘプタン、アセトンが主成分である。
ここで、接着剤１５の厚みは、その存在が視認できない程度に可能な限り薄くし、接着機能のみが維持できればよい。ここで使用するゴム糊は、基材としての発泡合成樹脂材料１１，１２，１３と同じポリエチレン等の合成樹脂からなる接着剤１５も使用できる。
【００３１】
次に、本発明の実施の形態における発泡体１０について詳述する。
本発明を実施する場合の基材１は、人形ロボット等のロボットの被覆、各種機器のハウジングの被覆は、アルミニウム板、ステンレス板、鉄板、銅板等で形成されるのが一般的である。合成樹脂の場合には発泡合成樹脂も使用されているものの、主に、射出成型等で形成されている。この射出成型で形成した基材１の殆どは、１ブロックの熱可塑性樹脂材料から構成したものであるが、本実施の形態の接触検出装置では、射出成型等で形成された１ブロックの基材１の事例で説明する。
勿論、１枚以上の熱可塑性樹脂材料または２枚以上を積層接着した発泡合成樹脂材料１１，１２，１３を特定の形状に形成した基材１も、１個のソリッドタイプの合成樹脂材料または複数枚のソリッドタイプの合成樹脂板を特定の形状に形成してなる基材１も、基本的構成は射出成型等で形成されたものと相違するものではない。
【００３２】
本実施の形態で使用する発泡合成樹脂材料としては、ポリウレタン(ＰＵＲ)、ポリスチレン(ＰＳ)、ポリオレフィン（主に、ポリエチレン(ＰＥ)やポリプロピレン(ＰＰ)）、また、フェノール樹脂(ＰＦ)、ポリ塩化ビニル(ＰＶＣ)、ユリア樹脂(ＵＦ)、シリコーン(ＳＩ)、ポリイミド(ＰＩ)、メラミン樹脂(ＭＦ)等の発泡化した樹脂が使用でき、内部気泡同士が繋がっている連続気泡体または内部気泡同士が繋がっていない独立気泡体の利用が可能である。しかし、発泡体１０及び基材１から空気が外気に漏れ難い容積空間４を形成するには、内部気泡同士が繋がっていない独立気泡体の使用が好ましい。
【００３３】
本実施の形態では、基材１は発泡体１０と同一材料で、また、それらの対する箱型の内枠６として同一処理したものである。基材１の周囲は切削して、外表面１Ａを形成している。発泡体１０の外表面１０Ａと内表面１０Ｂには、後述する箱型の内枠６が立体的構成として形成されている。また、基材１の外表面１Ａと内表面１Ｂにも、後述する箱型の内枠６が立体的に構成されている。勿論、発泡体１０の外表面１０Ａと内表面１０Ｂには、基材１の外表面１Ａと内表面１Ｂにも、後述する箱型の内枠６は二次元的構成として形成してもよい。
【００３４】
箱型の内枠６は、射出成形で形成した箱であり、安定した据え付け位置によりセンサＳＥＮの流入口に空気圧を導くもので、容積空間４の容積変化、圧力変化がセンサＳＥＮに正確に伝わるようにしている。内枠６が四角枠の箱状になっているのは、水平方向及び垂直方向に内枠６が移動しないようにし、外力変化を得やすくしている。内枠６の開口側には発泡合成樹脂材料の連続気泡体からなる平板封止板（スポンジ）８が配設されている。内枠６と平板封止板８で形成された空間は補助空間２０となっている。この補助空間２０は、一時的に容積空間４の容積変化、圧力変化を吸収させてもよいし、全く独立の空間としてもよい。通常、容積空間４の圧力は変化するが補助空間２０は大気圧となるように空気流が形成される。
したがって、補助空間２０は容積空間４に汚れた空気を導入しないので、センサＳＥＮを汚すことがない。なお、四角の箱状になっている内枠６は、金属板または金属を金型加工することができる。
【００３５】
即ち、補助空間２０は発泡合成樹脂材料の連続気泡体からなる平板封止板８で形成されているから、容積空間４から押圧された空気は案内路５を介してセンサＳＥＮの流入口に流れる。このとき、補助空間２０の略空気圧は大気圧を維持する。しかし、このとき、補助空間２０は大気圧と外部圧力の歪を受けているから、原理的には、外気よりも高くなっているので、連続気泡体からなる平板封止板８を通して、センサＳＥＮの流入口の空気を漏らすことができる。また、容積空間４の押圧力を解除すると容積空間４は不足空気量を案内路５及びセンサＳＥＮを介して外気を導入する。このとき、平板封止板８の全面がフィルタになるから、部分的に外部から塵埃を導入したり、目詰まりしたりすることが極端に少なくなる。
なお、念のため記載するが、平板封止板８から形成された補助空間２０は、発泡合成樹脂材料の連続気泡体からなり、大気圧に等しくなるように形成されている。ここでは、センサＳＥＮは圧力センサであっても、空気の流れを検出する市販のマイクロフローセンサ（Ｄ６Ｆ−Ｖ０３Ａ１；オムロン製）でも使用方法は同じである。このときには、容積空間４から補助空間２０に空気が流れるように構成する必要がある。
【００３６】
ここで使用したセンサＳＥＮは、図示しない補強層によって空気が外気に漏れ難く形成した容積空間４の圧力を検出している。このセンサＳＥＮは、市販の歪ケージを内蔵するセンサ、ダイヤフラムを介して検出するセンサ、ピエゾ効果素子を使用したセンサ、静電容量型のセンサであれば使用可能である。
本実施の形態で使用したセンサＳＥＮは、ＳＭＣ小形空気圧用圧力センサＰＳＥ５４０Ａを使用した。入力の圧力と出力電圧Ｖとの関係は略比例関係で感度の良いものである。
センサＳＥＮの出力は電源線２本、出力信号線ＯＵＴ１本の計３本からなり、本実施の形態では、人形ロボット５０の危険信号として急停止させる信号として使用している。
【００３７】
次に、発泡体１０に配設が望ましい補強層について説明する。
発泡体１０は、発泡させた熱可塑性樹脂であり、主な合成樹脂原料は、ポリウレタン(ＰＵＲ)、ポリスチレン(ＰＳ)、ポリオレフィン（主に、ポリエチレン(ＰＥ)やポリプロピレン(ＰＰ)）であり、他にも、フェノール樹脂(ＰＦ)、ポリ塩化ビニル(ＰＶＣ)、ユリア樹脂(ＵＦ)、シリコーン(ＳＩ)、ポリイミド(ＰＩ)、メラミン樹脂(ＭＦ)等も発泡化して用いることができる。しかし、発泡体１０の切削面１４を加熱することにより硬化させることを前提とすると、８０〜２００℃の範囲内の温度で変形する合成樹脂材料の使用が望ましい。また、本発明を実施する場合には、発泡率を問うものではないが、使途によっては弾性を維持するものの、硬く仕上げるために発泡率の制限を受けるものもある。
【００３８】
基材１の内表面１Ｂには、箱型の内枠６が接着剤で接合して配設されている。この内枠６は、出力が外力に比例する特性のセンサＳＥＮを接合するもので、容積空間４から空気を導く案内路５の流入口に容積空間４の圧力を加えている。このとき、容積空間４の圧力をセンサＳＥＮの案内路５の流入口に導くものであるから、補助空間２０は大気圧であることが望ましい。
センサＳＥＮの出力は、リード線Ｌを介して、必要に応じてコネクタ等を介してマイクロプロセッサ３０の内蔵するオペアンプＯＰ等に導かれ、そのオペアンプＯＰの出力は“Ｈ（オン）”、“Ｌ（オフ）”に変換される。また、オン時間またはオフ時間の長短の条件によって信号検出出力ＡＣの“Ｈ”、“Ｌ”の検出出力の判断を行う。
本実施の形態では、マイクロプロセッサ３０の出力は通常を“Ｈ”、パルス発生を“Ｌ”として、マイナスのパルス発生を説明するが、本発明を実施する場合には、ＮＯＴ回路、ＮＡＮＤ回路の構成を加えれば、結果は同一となるので、“Ｈ”から“Ｌ”に信号変換する事例として説明する。
【００３９】
図６乃至図９において、本発明の実施の形態における接触検出装置を取付けた人形ロボット５０は、内部に汎用のハードウェア及びソフトウェアを搭載している。また、図７の要部斜視図で人形ロボット５０の胸部５１及び肩部５２の外観を示している。図８のコーナ（角）５５は、二次元的または三次元的に空間を形成し、そこに、センサＳＥＮから離れた位置に配置したマイクロプロセッサ３０を取付けてもよい。また、必要に応じてそこに電池を配設してもよい。平板封止板８（図示しない）の上に可撓性のフィルム５６を接合させたもので、基材１（人形ロボット５０）とそれを被覆する発泡体１０を構成している。
【００４０】
本実施の形態の人形ロボット５０は、胸部５１の内側に、図示しない連続気泡体の発泡合成樹脂材料板４Ａ，４Ｂ，４Ｃを入れて体積を確保し、基材１（人形ロボット５０）を被覆する発泡体１０との間に容積空間４を形成し、更に、容積空間４を閉じる空気を通過させない、かつ、センサＳＥＮのみに圧力が加わるようにしている。結果的に、基材１（人形ロボット５０）が金属であるから、センサＳＥＮが固定される。
なお、リード線止め５７は、リード線Ｌの配線用である。
【００４１】
ここで、図９のように、人形ロボット５０の胸部５１外側のコーナを押圧すると、コーナのみが指と接触しており、そこが窪むように見受けられるが、この窪みによる歪が、容積空間４を形成した機械的強度の弱い部分に集中し、容積空間４が体積変化を生じ、それをセンサＳＥＮで検出することができる。
結果的には、人形ロボット５０の胸部５１に付与する外力が検出できる。本実施の形態の人形ロボット５０には、肩部５２の接触を検出していないが、図８に示すように、全体に設けなくても、一部にストレス（歪）が入ると、動作することが判明した。
したがって、基材１及び発泡体１０との間の片側または両側に、基材１及び発泡体１０から空気が外気に漏れ難い容積空間４を形成し、センサＳＥＮの出力によって容積空間４にどれだけの外力が加わったかを判断することにより、基材１及び発泡体１０の何れかに押圧力が加わり、容積空間４の体積が変化した要因の存在を把握し、基材１及び発泡体１０との間の片側または両側に人体等が接触したことを判断するものである。
【００４２】
特定の形状に形成された基材１は、１枚の発泡合成樹脂材料または発泡ゴム材料、または複数枚を積層接着した発泡合成樹脂材料または発泡ゴム材料としたものである。または、本実施の形態のように、人形ロボット５０の一部とすることができる。
したがって、基材１と発泡体１０が同じ特性の材料とすることができるので、対向する基材１と発泡体１０が同一材料となり軽量化及び加工が容易となる。また、伸縮が自在でない、即ち、伸縮しないシートを使用することもでき、これによって、基材１の用途を広げることができる。
【００４３】
また、容積空間４には、その内面に通気性のある発泡合成樹脂材料板で格子状、４角形状、鮫小紋、円形の水玉、市松を打ち抜き形成し、または交互に打ち抜いて形成した弾性体を収容したものである。
したがって、容積空間４は、内面に弾性及び通気性のある発泡合成樹脂材料板で格子状、４角形状、鮫小紋、円形の水玉状、市松状の何れかを打ち抜き形成し、または交互に打ち抜いて形成したものであるから、容積空間４に何も入らない空間ではなく、自己保持する弾性力等を保持させることができ、容積空間４の容積変化を得ればよいことから、複雑な三次元空間であっても、二次元空間と同様の検出が可能となる。
【００４４】
そして、センサＳＥＮは、流入口に空気の圧力を導入するものである。したがって、流入口に空気を通し、その圧力の大きさをセンサＳＥＮで検出し、その出力を増幅し、そのアナログ入力の大きさによって、閾値よりも大きいときに“Ｈ”、それ以下の入力のときに“Ｌ”出力とする。フォトトランジスタがオンするとき、アース電位閾値である第３閾値ＴＨ３＝ＴＨ０＝０［Ｖ］のアース電位となり、人形ロボット５０の制御が停止する。したがって、センサＳＥＮの配線が予測しないロボット制御でショートし、またはアース電位閾値である第３閾値ＴＨ３＝ＴＨ０＝０［Ｖ］のアース電位に低下することがない。
【００４５】
例えば、マイクロプロセッサ３０には、付設されたＡ-Ｄ変換回路等のアナログ入力を有していて、その出力はデジタル処理された出力となる機能を有している。即ち、容積空間の物理的変化量として検出するセンサＳＥＮは、外部からの押圧力が緩やか（例えば、５ｍｍ/ｓ）に押圧力を増加する場合には、図１１及び図１２に示すように、センサ出力ＥＳが徐々に上昇する。このとき、センサ出力ＥＳの検出出力時間が検出すべき継続時限Ｘ1に到達したとき、信号検出出力ＡＣの信号が出力される。
また、外部からの押圧力が緩やかな押圧力の増加を得て、それがタイミングｔ１で第１閾値ＴＨ１を超えると、容積空間４の物理的変化量として検出したセンサ出力ＥＳは、外部からの押圧力が緩やかな押圧力の増加を得て、それが第１閾値ＴＨ１を超えると、その時から監視する時限Ｘ1の時限だけ計測を開始し、時限Ｘ1の時限になったとき、信号検出出力ＡＣが“Ｈ”から“Ｌ”になる。
【００４６】
容積空間４の物理的変化量が移動限界になり、容積空間４の物理的変化量の検出がなくなると、センサ出力ＥＳの値が低下し、タイミングt3で第１閾値ＴＨ１未満に低下すると、タイミングt4で時限Ｙ1の時限を計測し、その間にセンサ出力ＥＳがアース電位、即ち、アース電位閾値ＴＨ０になるか否かを判断る。センサ出力ＥＳがアース電位閾値ＴＨ０になったとき、センサ出力ＥＳが時限Ｚ1以上継続された後、センサ出力ＥＳがアース電位閾値ＴＨ０から信号検出出力ＡＣの“Ｌ”に落ち着く。
前記センサ出力ＥＳの検出信号をアース電位閾値ＴＨ０として定常状態に戻るまでの二次関数特性に従った変化の検出となる。この前記センサ出力ＥＳの検出信号をアース電位閾値ＴＨ０として定常状態に戻るときには、センサ出力ＥＳの検出直後から所定の時限Ｚ1以上継続された時限内に、センサ自体の正常・異常をセンサ出力ＥＳが検出信号で判別する。
例えば、センサ出力ＥＳが容積空間４の物理的変化量が正圧であったとき、その正圧の解除でセンサ出力ＥＳは負圧で押圧されたことになる。
【００４７】
定常状態に戻るときのセンサ出力ＥＳは、容積空間４に加えられた外部からの押圧力を、容積空間４で形成した物理的変化量として検出した後、その戻りは、対向する基材１と発泡体１０に形成された所定の容積空間４で外気を導入するものであり、その特性は通常、立ち上がりが急峻な二次曲線の変化となる。したがって、センサ出力ＥＳが０．５Ｖに戻る時間を計算しておけば、それに要する時間との比較により、二次曲線を描く変化であるか否かを判別できる。勿論、センサ出力ＥＳが０．５Ｖに戻る時間が長いと二次曲線の変化である確率が高い。センサ出力ＥＳの回復時間が０．５Ｖに戻るまでの時間は、二次曲線を描く場合の方が長くなる。したがって、実験でその時限を割り出すことにより、センサ出力ＥＳの回復時間から正常・異常を判断してもよい。
そして、センサ出力ＥＳの回復時間が略決定されるから、時間のみを判断基準とする時限Ｚ1の設定を前提としてもよい。
また、０〜０．５Ｖと変化するセンサ出力ＥＳを、５〜１００回サンプリングし、サンプリングした電圧の差が大きい場合には、二次曲線の変化である確率が高い。この比較の場合には信頼性の高い結果が得られる。勿論、複数回サンプリングして、そのサンプリングした電圧からセンサ出力ＥＳの回復の正常・異常を判断してもよい。
即ち、信号検出出力ＡＣとして容積空間の物理的変化量を検出するセンサＳＥＮが、物理的変化量を検出するのみならず、自己の性能も確認し、フェイルセーフの接触検出を可能としている。
【００４８】
容積空間４の物理的変化量として検出するセンサＳＥＮは、外部からの押圧力が急激（例えば、２５０ｍｍ/ｓ）に増加する場合には、図１３に示すように、センサ出力ＥＳが急激に上昇する。このとき、タイミングt1でセンサ出力ＥＳが第２閾値ＴＨ２を超え、監視する時限Ｘ2に到達したタイミングt2のとき、信号検出出力ＡＣが“Ｈ”から“Ｌ”に変化する。即ち、容積空間４の物理的変化量として検出したセンサ出力ＥＳは、外部からの押圧力が急激に大きな押圧力となり、それが第２閾値ＴＨ２を超え（タイミングt1）と、その時から時限Ｘ2を計測開始し、タイミングt1で時限Ｘ2の時限になったとき、信号検出出力ＡＣが“Ｈ”から“Ｌ”となる。
【００４９】
また、容積空間４の物理的変化量が移動できる限界になり、容積空間４の物理的変化量の検出がなくなると、センサ出力ＥＳが低下し、タイミングt3で第２閾値ＴＨ２未満になると、時限Ｙ2を計測開始し、その間にセンサ出力ＥＳがアース電位閾値ＴＨ０になるか否かを判断し、タイミングt4でセンサ出力ＥＳがアース電位閾値ＴＨ０になったとき、センサ出力ＥＳが時限Ｚ1以上継続された後、センサ出力ＥＳがアース電位閾値ＴＨ０から、信号検出出力ＡＣは本来の電圧の“Ｌ”に落ち着く。前記センサ出力ＥＳの検出信号をアース電位閾値ＴＨ０として定常状態に戻るまでの二次関数特性に従った変化となる。
この前記センサ出力ＥＳの検出信号をアース電位閾値ＴＨ０から定常状態の電圧に戻るときには、センサ出力ＥＳのアース電位閾値ＴＨ０の検出直後から所定の時限Ｚ２以上継続された時限内に、センサＳＥＮ自体の正常・異常を自己の検出出力のセンサ出力ＥＳで検出して判別するものである。
例えば、センサ出力ＥＳが容積空間４の物理的変化量が正圧であったとき、その正圧の解除でセンサ出力ＥＳは負圧で押圧されたことになる。
【００５０】
定常状態に戻るときのセンサ出力ＥＳは、容積空間４に加えられた外部からの押圧力を、容積空間４の物理的変化量として検出した後、その戻りは、対向する基材１と発泡体１０に形成された所定の容積空間４で外気を導入するものであり、通常、二次曲線の変化となる。したがって、センサ出力ＥＳが０．５Ｖに戻る時間を計算で出した値とそれに要する時間との比較により、または、二次曲線を描く変化であるか否かを判別し、センサ出力ＥＳが０．５Ｖに戻る時間が長いと二次曲線の変化である確率が高いとして正常・異常の判別を行うこともできる。また、０〜０．５Ｖと変化するセンサ出力ＥＳを複数回サンプリングし、そのサンプリングしたピーク電圧によって判断した場合には、二次曲線の変化である確率は高くなる。更に、“Ｈ”から“Ｌ”、“Ｌ”から“Ｈ”に信号変換するときの時限が決定され、特に、“Ｌ”から“Ｈ”に信号変換されるとき、最大時限がタイミングt3で第２閾値ＴＨ２未満となってからの時限が、一義的に所定の値以下と決定されるから、その時限のみを使用することもできる。
【００５１】
ここで、容積空間４に加えられた外部からの押圧力を、容積空間４の物理的変化量としてセンサＳＥＮで検出するセンサ信号出力回路３１は、センサ出力ＥＳの第１閾値ＴＨ１の検出及びその動作の継続を測定する時限Ｘ1、時限Ｙ1の時限を計測するタイマ及び時限Ｘ2、時限Ｙ2の時限により構成されている。
また、センサ出力ＥＳの検出直後から所定の時限内に、センサＳＥＮ自体の正常・異常をセンサ出力ＥＳの検出で判別するセンサ異常判別回路３２は、センサ出力ＥＳのアース電位閾値ＴＨ０になったことを検出し、時限Ｚ１または時限Ｚ２の時限を計測した後、センサ出力ＥＳが容積空間４の物理的変化量として検出した後の戻りの特性であるか否かを判断し、センサＳＥＮ自体の正常・異常を前記センサ出力ＥＳの検出信号で判別するものである。
したがって、信号検出出力ＡＣとして容積空間の物理的変化量を検出するセンサＳＥＮが、物理的変化量を検出するのみならず、自己の性能も確認し、フェイルセーフの接触検出を可能としている。
【００５２】
次に、マイクロプロセッサ３０による制御について説明する。
このルーチンは、目的の人形ロボット５０等の電源投入またはその投入以前に別電源を投入し、繰り返し動作させるものである。
マイクロプロセッサ３０の電源投入の後、ステップＳ００で初期設定を行う。本実施の形態の初期設定では、第１閾値ＴＨ１＝１［Ｖ］、第２閾値ＴＨ２＝２．５［Ｖ］、アース電位閾値である第３閾値ＴＨ３＝ＴＨ０＝０［Ｖ］、監視する時限Ｘ1、時限Ｙ1、時限Ｚ1、監視する時限Ｘ2、時限Ｙ2、時限Ｚ2の時限を書き込む。また、マイクロプロセッサ３０の検出出力である信号検出出力ＡＣを“Ｈ”と初期設定を行う。
次いで、ステップＳ０１でセンサ出力ＳＥの徐々に変化するのを検出する第１閾値ＴＨ１＝１［Ｖ］以上であるかを判断する。第１閾値ＴＨ１＝１［Ｖ］以上が判断されると、ステップＳ０２でセンサ出力ＳＥの急激に変化するのを検出する第２閾値ＴＨ２＝２．５［Ｖ］以上であるかを判断する。ステップＳ０１でセンサ出力ＳＥの徐々に変化するのを検出する第１閾値ＴＨ１＝１［Ｖ］未満と判断しているときには、第１閾値ＴＨ１＝１［Ｖ］以上が到来するまで、ステップＳ０１でセンサ出力ＳＥの出力の上昇を待機する。
【００５３】
ステップＳ０１でセンサ出力ＳＥは第１閾値ＴＨ１＝１［Ｖ］以上であり、ステップＳ０２でセンサ出力ＳＥの出力は第２閾値ＴＨ２＝２．５［Ｖ］以上でないと判断された時、容積空間４の物理的変化量が徐々に増加し、センサ出力ＥＳの前縁が徐々に増加していることを示している。
即ち、ステップＳ０２でセンサ出力ＳＥの出力が第２閾値ＴＨ２＝２．５［Ｖ］以上でないと判断されたとき、センサ出力ＳＥの出力は第１閾値ＴＨ１＝１［Ｖ］以上、第２閾値ＴＨ２＝２．５［Ｖ］未満であることから、容積空間４の物理的変化量が徐々に増加しているとして、ステップＳ０３の処理に入る。
しかし、ステップＳ０２でセンサ出力ＳＥの出力が第２閾値ＴＨ２＝２．５［Ｖ］以上と判断されると、容積空間４の物理的変化量が急激に増加していることを意味するから、ステップＳ１４でセンサ出力ＥＳの出力によりステップＳ１５で信号検出出力ＡＣが“Ｈ”から“Ｌ”と変化する。
【００５４】
ステップＳ０１でセンサ出力ＳＥの出力は、第１閾値ＴＨ１＝１［Ｖ］以上が判断され、ステップＳ０２でセンサ出力ＳＥの出力が第２閾値ＴＨ２＝２．５［Ｖ］以上でないと判断されると、ステップＳ０３でセンサ出力ＥＳの監視する時限Ｘ1の長さ以上になったとき、ステップＳ０４で信号検出出力ＡＣを“Ｈ”から“Ｌ”に変化する。
その後、センサ出力ＳＥの出力は、容積空間４の物理的変化量が増加しつくした時、徐々に増加する物理的変化量の増加が停止し、物理的変化量が減少に転じ、センサ出力ＳＥの出力は、ステップＳ０５で第１閾値ＴＨ１＝１［Ｖ］未満を判断し、ステップＳ０６で時限Ｙ1になるまで信号検出出力ＡＣは“Ｌ”から“Ｈ”に変化することはない。ステップＳ０６で時限Ｙ1の経過を判断し、ステップＳ０４からステップＳ０６のルーチンにより時限Ｙ１の経過を確認し、時限Ｙ１の終了で、ステップＳ０７で信号検出出力ＡＣを“Ｌ”から“Ｈ”に変化させる。
【００５５】
ステップＳ０８でセンサ出力ＥＳがアース電位閾値である第３閾値ＴＨ３＝ＴＨ０＝０［Ｖ］になっているか判断し、ステップＳ０８でそれが確認されたら、ステップＳ０９で時限Ｚ1の経過を判断し、その経過を判断した後に、ステップＳ１０でセンサＳＥＮの回復特性があるか否かを判断し、センサＳＥＮの回復特性が確認された時、ステップＳ１１でセンサ検出動作に異常がないので、センサＳＥＮに異常はないと判断して、そのまま動作を継続する。
ステップＳ１０でセンサＳＥＮの回復特性が確認されないとき、ステップＳ１２でカウンタＮに「１」インクリメントし、異常の検出を行った回数を計数し、ステップＳ１３でモニタ異常表示出力のフォトカプラ１７のＬＥＤを点灯させ、その旨の出力を表示する。この出力は、人形ロボットの制御信号でもよいし、他の表示手段でもよい。
【００５６】
ここでは、外部からの押圧力が緩やか（５ｍｍ/ｓ）に押圧力を増加する場合について説明したが、外部からの押圧力が急激（２５０ｍｍ/ｓ）な場合には、図１３に示すように、センサ出力ＥＳが急激に変化する場合に好適となる。
なお、本実施の形態では、外部からの押圧力が緩やかな場合と、急激な場合とに５ｍｍ/ｓの変化と、２５０ｍｍ/ｓの変化について分けているが、本発明を実施する場合には単一の設定でもよいし、３個以上の押圧値で設定してもよい。しかし、人間に対する安全性の問題であれば、応答性が高いものが好適であるが、緩やかな場合と急激な場合とに１ｍｍ/ｓの変化と、５００ｍｍ/ｓの変化範囲の試験に合格するものであればよい。
ステップＳ０１でセンサ出力ＳＥの徐々に変化するのを検出する第１閾値ＴＨ１＝１［Ｖ］以上であるか、ステップＳ０２でセンサ出力ＳＥの急激に変化するのを検出する第２閾値ＴＨ２以上であるかを判断する。ステップＳ０２でセンサ出力ＳＥが第２閾値ＴＨ２以上に変化すると判定された場合には、ステップＳ１４でセンサ出力ＳＥの出力は時限Ｘ2以上継続しているか判断し、時限Ｘ2以上、継続したときには、ステップＳ１５で信号検出出力ＡＣを“Ｈ”から“Ｌ”とする。ステップＳ１６でセンサ出力ＳＥが第２閾値ＴＨ２未満になるかを判断し、センサ出力ＳＥが第２閾値ＴＨ２未満になるまでステップＳ１５及びステップＳ１６に留まる。
センサ出力ＳＥが第２閾値ＴＨ２未満になると、ステップＳ１７で時限Ｙ２まで継続しているかを判断し、ステップＳ１７で時限Ｙ2まで継続していると判断すると、ステップＳ１５からステップＳ１７で時限Ｙ2になるまで信号検出出力ＡＣは“Ｌ”から“Ｈ”に変わることはない。ステップＳ１８で時限Ｙ2まで継続していると判断すると信号検出出力ＡＣは“Ｌ”から“Ｈ”に変わる。
時限Ｙ2が経過するとステップＳ１９でセンサ出力ＳＥがアース電位閾値である第３閾値ＴＨ３＝ＴＨ０＝０［Ｖ］のアース電位か否かを判断し、ステップＳ１９でセンサ出力ＳＥがアース電位閾値である第３閾値ＴＨ３＝ＴＨ０＝０［Ｖ］になっているか判断し、ステップＳ１９でそれが確認されたら、ステップＳ２０で時限Ｚ2の経過を判断し、その経過を判断した後に、ステップＳ１０でセンサＳＥＮの回復特性があるか否かを判断し、センサＳＥＮの回復特性が確認された時、ステップＳ１１でセンサＳＥＮの検出動作に異常がないかを判断し、異常が検出されないとき、そのまま動作を継続する。
【００５７】
ステップＳ０９で時限Ｚ1の経過またはステップＳ２０で時限Ｚ2の経過を判断し、その経過を判断した後、ステップＳ１０でセンサＳＥＮの回復特性があるか否かを判断し、センサＳＥＮの回復特性が確認された時、ステップＳ１１でセンサ検出動作に異常がないので、そのまま動作を継続する。
ステップＳ１０でセンサＳＥＮの回復特性が確認されないとき、ステップＳ１２でカウンタＮに「１」インクリメントし、異常の検出を行った回数を加算する。ステップＳ１３でフォトカプラ１７のＬＥＤに出力し、そのＬＥＤ出力はフォトトランジスタに抵抗Ｒ5を介したセンサ異常判別回路３２からセンサＳＥＮ自体の異常として出力される。
また、図１１に示すように、センサ出力ＥＳのように、外部からの容積空間４に付与される押圧力が緩やかに押圧力を増加している場合に、図１２に示すように、外部からの押圧力が急激に加わった場合には、センサ出力ＥＳに急激に外力付加Ｐ（外乱）が付与されるが、このときには、第２閾値ＴＨ２を超えるから、押圧力が急峻な場合と同様に動作する。
そして、時限Ｘ1を「０」とすると、第１閾値ＴＨ１が１回でも超えると、信号検出出力ＡＣがその超えた時点で“Ｈ”から“Ｌ”に変わる。特に、この場合には、外力付加Ｐの後の時限を残りの時限Ｘ1から算出し、時限Ｘ1を修正してもよい。
時限Ｘ1と時限Ｘ2はその時限を「０」と設定すると、応答速度を速くすることができる。
【００５８】
このように、容積空間４に加えられた外部からの押圧力を、容積空間４の物理的変化量としてセンサＳＥＮで検出するセンサ信号出力回路３１は、センサ出力ＥＳの第１閾値ＴＨ１の検出及びその動作の継続を測定する時限Ｘ1、時限Ｙ1の時限を計測するタイマにより構成されている。
また、センサ出力ＥＳの検出直後から所定の時限内に、センサＳＥＮ自体の正常・異常をセンサ出力ＥＳの検出で判別するセンサ異常判別回路３２は、センサ出力ＥＳの第２閾値ＴＨ２未満になったことを検出し、時限Ｚ1の時限を計測した後、センサ出力ＥＳが容積空間４の物理的変化量として検出した後の戻りの特性であるか否かを判断し、センサＳＥＮ自体の正常・異常を前記センサ出力ＥＳの検出信号で判別するものである
【００５９】
なお、図１０に示す圧力センサからなるセンサＳＥＮは、抵抗Ｒ1を介してマイクロプロセッサ３０に入力している。マイクロプロセッサ３０の出力は、限流抵抗Ｒ2を介してフォトカプラ１６に出力し、そのＬＥＤ出力はフォトトランジスタに抵抗Ｒ3を介したセンサ信号出力回路３１からの信号検出出力ＡＣとして出力されている。
また、センサＳＥＮ自体の異常表示の場合は、センサＳＥＮは、抵抗Ｒ1を介してマイクロプロセッサ３０に入力している。マイクロプロセッサ３０の出力は、限流抵抗Ｒ4を介してフォトカプラ１７に出力し、そのＬＥＤ出力はフォトトランジスタに抵抗Ｒ5を介したセンサ異常判別回路３２からセンサＳＥＮ自体の異常として出力されている。
このように、人形ロボット５０とは絶縁状態でセンサＳＥＮの検出出力が得られ、センサＳＥＮからなるセンサ信号出力回路３１とセンサ異常判別回路３２との配線が予測しない制御でショートすることがない。
【００６０】
本実施の形態の接触検出装置は、特定の形状に形成された基材１と、基材１を被覆する発泡合成樹脂材料または発泡ゴム材料を特定の形状に形成してなる発泡体１０と、対向する基材１と発泡体１０に形成された所定の容積空間４と、容積空間４に加えられた外部からの押圧力を物理的変化量として検出するセンサＳＥＮとを具備し、センサＳＥＮは、容積空間４に加えられた外部からの押圧力を、容積空間４の物理的変化量としてセンサＳＥＮで検出するセンサ信号出力回路３１と、センサ信号出力回路３１の信号検出出力ＡＣの検出直後から所定の時限内に、センサＳＥＮ自体の正常・異常をセンサ出力ＥＳの検出信号で判別するセンサ異常判別回路３２を搭載したものである。
【００６１】
本実施の形態の接触検出装置は、対向する特定の形状に形成された基材１と、特定の形状に形成された基材１を被覆する特定の容積空間４と、容積空間４に加えられた外部からの押圧力を、容積空間４で形成した容積空間４の物理的変化量として検出するセンサＳＥＮとを具備し、センサＳＥＮは、容積空間４に加えられた外部からの押圧力を物理的変化量としてセンサＳＥＮで検出するセンサ信号出力回路３１、及び、センサ異常判別回路３２は、センサ信号出力回路３１のセンサ出力ＥＳの検出直後から所定の時限内に、センサＳＥＮ自体の正常・異常を前記センサ出力で判別するものである。
【００６２】
したがって、特定の形状に形成された基材１を被覆する積層接着した発泡合成樹脂材料または発泡ゴム材料を特定の形状に形成してなる発泡体１０の片側に形成された所定の容積空間４と、容積空間４内に圧縮された空気が、基材１及び／または発泡体１０から外気に漏れ難くした容積空間４に形成し、基材１と発泡体１０の外部からの押圧力を、容積空間４の物理的変化量としてセンサＳＥＮで検出し、センサ出力ＥＳの時限をもって検出出力とするものである。
【００６３】
漏れ難くした容積空間４内の、例えば、圧縮された空気は、基材１と発泡体１０の片側または両側に加えられた押圧力によってセンサＳＥＮで物理的変化を得る。物理的変化量として、空気圧、空気の流れ、空気の流速、空気量の変化等として検出する。
このように、基材１及び／または発泡体１０から物理的変化量として、漏れ難くした容積空間４内の物理的変量を検出するものであるから、広範な範囲に加えられた圧力を検出することができ、二次元的な平面的構成であっても、三次元的な立体的構成であっても施工でき、所定以上の外部からの圧力を検出できる。
また、容積空間４の物理的変化として検出するセンサＳＥＮは、センサ信号出力回路３１の容積空間４に加えられた外部からの押圧力を、容積空間４の物理的変化量としてセンサＳＥＮで検出し、通常の容積空間４に加えられた接触圧等として検出する。しかし、センサ異常判別回路３２は、センサ信号出力回路３１のセンサ出力ＥＳの検出直後から所定の時限内に、前記センサ自体の正常・異常を前記センサ出力で判別するから、前記センサ信号出力回路の動作の終了時点で、センサ異常判別回路３２がセンサＳＥＮに異常がないことを補償できる。
特に、容積空間４の物理的変化を検出するセンサ出力ＥＳが、時間の経過に伴って徐々に加わる外力と、急激に加わる外力とを区別して監視し、短時間に接触を判別することができる。
【００６４】
本実施の形態の接触検出装置のセンサ異常判別回路３２は、センサ信号出力回路３１が容積空間４に加えられた外部からの押圧力を検出する定常状態に戻るとき、センサＳＥＮの検出信号を第３閾値（ＴＨ０）として定常状態に戻るまでの特性を基に、センサＳＥＮ自体の正常・異常を判別する。
本実施の形態の接触検出装置のセンサ異常判別回路３２は、センサ信号出力回路３１が容積空間４に加えられた外部からの押圧力を検出する定常状態に戻るとき、センサＳＥＮの検出信号を第３閾値（ＴＨ０）として定常状態に戻るまでのセンサＳＥＮの出力特性を基に、前記センサＳＥＮ自体の正常・異常を判別するものである。
【００６５】
したがって、センサＳＥＮが検出したセンサ出力ＥＳは、容積空間４に加えられた外部からの押圧力を容積空間４の物理的変化量として検出し、センサＳＥＮが検出したセンサ出力ＥＳは、容積空間４に加えられた外部からの押圧力を容積空間４の物理的変化量として検出し、第３閾値ＴＨ０（ＴＨ３），第１閾値ＴＨ１，第２閾値ＴＨ２等の複数の閾値と比較して、その信号検出出力として正常・異常の２値信号を得るセンサ信号出力回路３１と、センサ信号出力回路３１のセンサ出力ＥＳの異常状態から定常状態に戻る２値信号の変化直後から、第３閾値ＴＨ０（ＴＨ３），第１閾値ＴＨ１，第２閾値ＴＨ２等の所定の閾値以下で、所定の時限Ｘ1，Ｘ2内に、正常・異常を前記信号検出出力３１で判別するセンサ異常判別回路３２を具備し、センサ信号出力回路３１が動作する毎に、センサＳＥＮの正常・異常が確認され、特に、次の動作に掛けて、センサ異常判別回路３２が動作しなければ、安全に動作することを意味する。
特に、センサ信号出力回路３１が容積空間４に加えられた外部からの押圧力を検出する定常状態に戻るとき、センサＳＥＮの検出信号を第３閾値（ＴＨ０）として定常状態に戻るまでの二次関数特性を基に、センサＳＥＮ自体の正常・異常を判断するものである。結果的に、二次関数特性を経てセンサ信号出力回路３１の動作に入ることができれば正常である。
【産業上の利用可能性】
【００６６】
本発明を実施する場合には、容積空間４に別構成のファンを配設し、容積空間４を所定の物理的変量を空気圧、空気の流れ、空気の流速、空気量の変化等として物理的変化量を計測することができる。しかし、図示しないファンを取付けると部品点数が増加し、ファンの管理が必要になる。ところが、本実施の形態では、部品点数が増加しなくなる。しかし、ファンによる容積空間４の物理的変量を空気圧、空気の流れ、空気の流速、空気量の変化等を閾値として設定することもできる。
なお、複数の閾値、第１閾値、第２閾値、第３閾値は、２個または３個またはそれ以上とすることもでき、少なくとも２個または３個以上であればよい。そして、センサＳＥＮの検出信号に使用する第３閾値（ＴＨ０）は、アース電位であるが、他の負の電圧または正の第１閾値よりも低い電圧とすることができる。
そして、本実施の形態で使用する２値信号とは、アナログ値ではなく、“Ｈ”から“Ｌ”または“Ｌ”から“Ｈ”、“１”から“０”または“０”から“１”のデジタル信号であればよい。
【符号の説明】
【００６７】
１    基材
４    容積空間
４Ａ，４Ｂ，４Ｃ    空間維持材
１０    発泡体
１１，１２，１３    発泡合成樹脂材料
３０    マイクロプロセッサ
３１    センサ信号出力回路
３２    センサ異常判別回路
５０    人形ロボット
ＳＥＮ    センサ
ＴＨ０＝ＴＨ３    第３閾値（アース電位閾値）
ＴＨ１    第１閾値
ＴＨ２    第２閾値
Ｘ1，Ｙ1，Ｚ1    時限
Ｘ，Ｙ2，Ｚ2    時限
ＡＣ    信号検出出力
ＥＳ    センサ出力                                                                              
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
特定の形状に形成された基材と、
前記基材を被覆する発泡合成樹脂材料または発泡ゴム材料を特定の形状に形成してなる発泡体と、
対向する前記基材と前記発泡体に形成された所定の容積空間と、
前記容積空間に加えられた外部からの押圧力を、前記容積空間で形成した物理的変化量として検出するセンサとを具備する接触検出装置にあって、
前記センサが検出したセンサ出力は、前記容積空間に加えられた外部からの押圧力を前記容積空間の物理的変化量として検出し、複数の閾値と比較して、その信号検出出力として正常・異常の２値信号を得るセンサ信号出力回路と、
前記センサ信号出力回路の前記センサ出力の異常状態から定常状態に戻る２値信号の変化直後から、所定の閾値以下で、所定の時限内に、前記センサ自体の正常・異常を前記信号検出出力で判別するセンサ異常判別回路と
を有していることを特徴とする接触検出装置。
【請求項２】
前記センサ異常判別回路は、前記センサ信号出力回路が前記容積空間に加えられた外部からの押圧力を検出する定常状態に戻るとき、前記センサの検出信号をアース電位として定常状態に戻るまでの特性を基に、前記センサ自体の正常・異常を判別することを特徴とする請求項１に記載の接触検出装置。                                                                          
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
特定の形状に形成された基材と、
前記基材を被覆する発泡合成樹脂材料または発泡ゴム材料を特定の形状に形成してなる発泡体と、
対向する前記基材と前記発泡体に形成された所定の容積空間と、
前記容積空間に加えられた外部からの押圧力を、前記容積空間で形成した物理的変化量として検出するセンサとを具備する接触検出装置にあって、
前記センサが検出したセンサ出力は、前記容積空間に加えられた外部からの押圧力を前記容積空間の物理的変化量として検出し、複数の閾値と比較して、その信号検出出力として正常・異常の２値信号を得るセンサ信号出力回路と、
前記センサ信号出力回路の前記センサ出力の異常状態から定常状態に戻る２値信号の変化直後から、所定の閾値以下で、所定の時限内に、前記センサ自体の正常・異常を前記センサで判別するセンサ異常判別回路とを有し、
前記センサ異常判別回路は、前記センサ信号出力回路が前記容積空間に加えられた外部からの押圧力を検出する定常状態に戻るとき、前記センサの検出信号をアース電位として定常状態に戻るまでの特性を基に、前記センサ自体の正常・異常を判別することを特徴とする接触検出装置。
【手続補正２】
【補正対象書類名】明細書
【補正対象項目名】全文
【補正方法】変更
【補正の内容】
【発明の詳細な説明】
【技術分野】
【０００１】
本発明は、特定の形状に形成された基材と発泡合成樹脂で特定の形状を削りだした発泡体からなり、前記基材と前記発泡体との間の片側または両側に容積空間を形成し、その容積空間の物理量の変化をセンサによって検出する接触検出装置に関するもので、特に、発泡合成樹脂で特定の形状を成型したり、削り出したり、その容積空間の内側の面を漏れがないようにし、何れの位置に接触しても検出できる二次元、三次元の接触検出装置に関するものである。
【背景技術】
【０００２】
従来の一般的な発泡合成樹脂成型体の成型方法及び発泡合成樹脂成型体としては、ポリスチレンを微細な泡で発泡させ硬化させた発泡ポリスチレンを使用し、その表面に塗料を塗布する方法がある。例えば、発泡ポリスチレンに木工ボンドを塗り、その木工ボンドが固まったとき、スプレーで塗装する方法がある。
また、水性ボンドに顔料を混ぜて、直接、発泡ポリスチレンに塗布する方法もある。そして、和紙を細かく粉砕し、粉体化したものに木工ボンドや和糊を混練して発泡ポリスチレンに貼り付け、それを水性塗料のネオカラーやポスターカラーで塗装する方法もある。更に、発泡ポリスチレンを基材にしてそれにＦＲＰ造形を行う方法もある。
これらはいずれも発泡合成樹脂成型体に塗布した塗装の厚みが厚くなり、形式的な見栄えが良くても、実用的な使用に耐えるものではなかった。
【０００３】
酷似する技術を検索すると、直接、発泡合成樹脂材を特定の形状に削りだす発泡合成樹脂の成型方法及びその成型体は存在していないが、発泡層付き内装品の技術を特許文献１で開示している。
即ち、特許文献１は発泡層付きの表皮材が、基材に分散形成された吸気路からの真空吸引により基材に吸着されて接着された発泡層付き内装品において、表皮材が熱可塑性であり、その表面形状が、表皮材を加温処理により軟化させ、その状態で基材に接着させる際に、表皮材用真空吸引型による真空吸引により賦形されている構成を有し、表皮材が表皮材用真空吸引型の型面に沿って賦形される技術である。これにより、表面品質が向上するだけでなく、意匠の制約が少なくなり、その自由度が拡大され、基材表面に対して非相似形状に形成することができる。
【０００４】
発泡層付きの表皮材が、基材に分散形成された吸気路からの真空吸引により基材に吸着されて接着された発泡層付き内装品とすることにより、発泡層と表皮材との接着力を強くする技術が開示されている。しかし、特許文献１には、厚手の発泡層についてどのように適応できるかを開示するものはない。原理的には、発泡合成樹脂材を特定の形状に削り出して発泡合成樹脂を成形することは困難と思われる。
【０００５】
また、特許文献２は、発泡合成樹脂材料よりなる芯材の一面に畳表が積層され、他面に機能化剤含有クッションシートが積層され、更に、前記クッションシートに滑り止め層が部分的に積層されることにより、薄くて軽量で、施工性に優れ、滑り難いという技術を開示している。
【先行技術文献】
【特許文献】
【０００６】
【特許文献１】特開２００５−１２５７３６号公報
【特許文献２】特開２０１０−２３６２２０号公報
【特許文献３】特開２０１４−１５６５２３号公報
【特許文献４】特開２０１４−１８８３９１号公報
【特許文献５】特願２０１６−１８０１１０号
【発明の概要】
【発明が解決しようとする課題】
【０００７】
しかし、従来の一般的な発泡合成樹脂成型体は、例えば、量産しない製品のカバー、特殊な椅子の肘掛け、特殊車両或いは改造車のダッシュボード等に使用すると、機械的強度が足りないとか、塗料が塵のように剥がれ落ちて周辺を汚したりして、廉価には実用的なものはできなかった。勿論、発泡ポリスチレンを基材にしてそれにＦＲＰ造形を行う技術は、機械的強度は上げることができるものの、弾性に欠き、また、高価であるという問題があった。
また、特許文献１及び特許文献２では、発泡合成樹脂成型体とクッションシートとの接着力を強くすることを開示している。ところが、形式的に試作品を形成する原材料として発泡性合成樹脂が使用されているものの、少量生産品にこの技術を使用するということは実現されていない。特に、例えば、発泡ポリスチレンのような発泡合成樹脂成型体は、脆く、表面を削って所定の形状に仕上げ、かつ、表面を見栄え良く平滑化することができなかった。
【０００８】
そして、発泡性合成樹脂にベントホールと呼ばれる穴が存在すると、当該ベントホールを穴埋めするには、残余の発泡性合成樹脂の厚みによって左右されるが熟練者でないと効率良く成型できない。また、ベントホールを穴埋めすると発泡合成樹脂成型体の重量バランスに微妙な違いが出て、使途によっては、その重量バランスの調整が必要な場合がでてくる。
【０００９】
更に、先行文献３及び先行文献４は、上記問題点を解消し、基材として発泡合成樹脂材料を用いて、特定の形状を削り出して弾性に富む成型体として、塗装面の厚みを厚くすることなく、見栄えの良い、廉価な発泡合成樹脂成型体を得ている。しかし、特許文献３及び特許文献４が接触センサを用いるとなると、表面に金属電極、導電性塗料等を塗布する必要性があり、相手が導電体のものに使用が限られていた。
また、市販の感圧スイッチを用いると、押圧力を受けている部位の感圧スイッチ自身は作動するが、他の感圧スイッチが配設されていない箇所の圧力検出ができなかった。また、感圧スイッチはその絶縁基板（シート）の変形が自在にならないので立体的に形成することができなかった。
しかし、一般に、センサは接触センサ、感圧スイッチ等の量産化されている普及型センサは廉価であるが、量産化されていないセンサは高価である。例えば、静電容量の変化または歪ゲージを使用した圧力センサ等は廉価に供給されている。
一方、電気回路はデジタル回路とアナログ回路が混在するところでは、デジタル回路のパルスがパルス雑音となってアナログ回路に入る可能性が高いことから、アナログ回路に入り難い信号の使用が望ましく、かつ、ＩＣ化される等の小型化されているものが望ましい。
【００１０】
そこで、本発明者らは特許文献５に掲載の接触検出装置を発明した。即ち、特定の形状に形成された基材と、前記基材を被覆する１枚の発泡合成樹脂材料または発泡ゴム材料を特定の形状に形成してなる発泡体と、対向する前記基材と前記発泡体の片側に形成された所定の容積空間と、前記容積空間内に配設された連続気泡構造を有している空間維持材と、前記容積空間内及び前記空間維持材の圧縮された空気が、前記基材及び／または前記発泡体から外気に漏れ難くした前記容積空間を形成した補強層と、前記補強層で形成した前記容積空間及び前記空間維持材の物理的変化量として検出するセンサと、前記センサからのオン・オフ出力のオン時間またはオフ時間の長さをもって検出出力とし、前記特定の形状に形成された基材と、前記基材を被覆する１枚の発泡合成樹脂材料または発泡ゴム材料、または発泡合成樹脂材料または発泡ゴム材料を特定の形状に形成してなる前記発泡体が形成するコーナに埋設してなる出力回路とを具備する装置を開発した。
これによって、広範な範囲に加えられた圧力を検出することができ、二次元的な平面的構成であっても、三次元的な立体的構成であっても施工でき、所定以上の外部からの圧力を検出できる接触検出装置となった。
しかし、前記容積空間の物理的変化量として検出する接触検出装置においては、フェイルセーフとして設計されるのが一般的であるが、物理的変化量として検出するセンサについての信頼性を高める回路が存在していなかった。
【００１１】
そこで、本発明は従来の問題点を解消すべく、容積空間の物理的変化量を検出するセンサが物理的変化量を検出するセンサ信号出力回路及び次回の物理的変化量の検出に向けてセンサ自体の正常・異常をセンサ異常判別回路で判別できる接触検出装置の提供を課題とするものである。
【課題を解決するための手段】
【００１２】
請求項１の発明の接触検出装置は、特定の形状に形成された基材を被覆する形状の発泡体と、対向する前記基材と前記発泡体に形成された所定の容積空間と、前記容積空間に加えられた外部からの押圧力を、前記容積空間で形成した前記容積空間の物理的変化量として検出するセンサと、前記センサが検出したセンサ出力は、前記容積空間に加えられた外部からの押圧力を前記容積空間の物理的変化量として検出し、複数の閾値と比較して、その信号検出出力として正常・異常の２値信号を得るセンサ信号出力回路と、前記センサ信号出力回路の前記センサ出力の異常状態から定常状態に戻る２値信号の変化直後から、所定の閾値以下で、所定の時限内に、前記センサ自体の正常・異常を判別するセンサ異常判別回路で処理している。
【００１３】
ここで、上記特定の形状に形成された基材は、例えば、１枚以上の熱可塑性樹脂材料、または２枚以上を積層接着した熱可塑性樹脂材料を特定の形状に形成したもの、１枚以上の熱可塑性樹脂材料は、ソリッドタイプの樹脂としても、発泡体としてもよく、容積空間の容積変化が出現する硬度を有するものであればよい。
上記発泡体として使用する発泡合成樹脂材料は、存在する内部気泡同士が繋がっていない独立気泡体、存在する内部気泡同士が繋がっている連続気泡体の何れであってもよい。何れにせよ、前記容積空間の空気が外気に漏れ難く形成したものであればよい。
また、上記発泡体は、前記基材を発泡合成樹脂材料の１枚または複数枚積層接着したもので被覆し、特定の形状に形成するものである。通常、前記発泡体は前記発泡体を外部から被う構成となる。基材は、例えば、ロボット等の自走する自動生産装置に被覆し、その基材に対して前記発泡体を設けフェイルセーフ対応とするものである。
【００１４】
そして、上記容積空間は、前記基材及び前記発泡体との間の片側または両側に補強層を形成してもよい。この補強層は、前記基材及び／または前記発泡体から空気が外気に漏れ難くするものである。そのためには、補強層によって空気が通り抜け難くされている。射出成型金型で形成する金型によって冷やされるスキン層または別の材料で形成した空気の漏れを少なくするフィルムもこの補強層の１つである。
前記容積空間内の空気が外部からの圧力（外圧）により圧縮されたとき、その圧縮空気の一部が、前記容積空間から漏れ出さないように補強層を設けるのが望ましい。この補強層としては、目止め剤、穴埋め剤、下塗り剤、上塗り剤、仕上げ剤のうちの幾つかを選択できる。また、前記発泡体を形成する金型で形成したスキン層を、前記基材を被覆する１枚の発泡合成樹脂材料または発泡ゴム材料、または複数枚を積層接着した特定の形状に形成してなる発泡体とすることもできる。
また、前述した補強層の形成は、二次元的な表面的なものでも、三次元的（立体的）な処理でもよい。特に、三次元的な補強層は、前記補強層のみの強度というよりも、前記容積空間の強度及び緻密化が可能になる。前記補強は合成樹脂シートとすることもできる。
ここで、空気が漏れ難く形成した容積空間とは、空気が全く漏れない状態を意味するのではなく、空気が漏れても、それが前記センサの特性を変化する程度には至らないことを意味する。この補強層は、全く空気のリークがないものに限定されるものではなく、多少のリークが生じるものでよい。また、完全にリークのないものを製造し、そこに特定径のリーク路を形成してもよい。
特に本発明においては、容積空間に加えられた外部からの押圧力及びその回復の特性が必要である。
【００１５】
更に、上記空気が外気に漏れ難く形成した容積空間の物理的変化量として検出するセンサとしては、接触圧、気圧、圧力等の変化を歪量または静電容量の変化等として物理的の変量を空気圧、空気の流れ、空気の流速、空気量の変化等として検出する物理的変化量を計測するものである。また、このセンサには、「ＭＥＭＳフローセンサ」、「ＭＥＭＳ風量センサ」、「流速センサ」と呼ばれている空気の流れを生じさせる市販のマイクロフローセンサ（Ｄ６Ｆ−Ｖ０３Ａ１；オムロン製）を使用することもできる。原理的には、本発明を実施する場合には、「ＭＥＭＳフローセンサ」、「ＭＥＭＳ風量センサ」、「流速センサ」等と呼ばれている市販のセンサであれば使用可能であるが、本発明者らは、小型化が必要であったことから、Ｄ６Ｆ−Ｖ０３Ａ１（オムロン製）を使用した。また、市販のフローセンサとして、オムロン製品の他に（株）キーエンス、愛知時計電機（株）、（株）山武、ＡＳＫ（株）の製品も実施したが、原理的には、何れでも実施できることが確認された。
【００１６】
加えて、上記センサ信号出力回路は、前記容積空間に加えられた外部からの押圧力を、前記容積空間の物理的変化量として空気圧、空気の流れ、空気の流速、空気量の変化等として検出するセンサを含む回路で、具体的には、前記容積空間に加えられた外部からの押圧力を前記容積空間の物理的変化量として検出し、複数の閾値と比較して、その信号検出出力として正常・異常の２値信号を得る回路である。
また、上記センサ異常判別回路は、異常状態から定常状態に戻る２値信号の変化直後から、所定の閾値以下で、所定の時限内の特性によって判断している。この異常状態から定常状態に戻る２値信号の変化直後から所定の閾値以下で、所定の時限内の特性には、前記センサの過度現象が生じている回復特性で、２次関数の曲線の判断、設計時間よりも長い時間で定常の監視状態に入り、例えば、サンプリングによって２次関数曲線であることを確認する方法でもよい。
即ち、上記センサ異常判別回路は、前記センサ信号出力回路の前記センサ出力の異常状態から定常状態に戻る２値信号の変化直後から、所定の閾値以下の時限内で、２次関数曲線の検出で、または、所定の閾値に対する経過時間等で前記センサ自体の正常・異常を判別する回路が搭載されている。
【００１７】
例えば、上記センサ出力はマイクロプロセッサに付設されたＡ-Ｄ変換回路に入力されて信号処理され、その出力はデジタル処理されて、マイクロプロセッサから出力される。
即ち、容積空間の物理的変化として検出するセンサは、外部からの押圧力が第１閾値ＴＨ１以上となり、その状態がＸ1時間継続することにより前記センサ出力とし、また、第１閾値ＴＨ１未満となり、その状態がＹ1時間継続することにより前記センサ出力の終了とし、そして、外部からの押圧力が前記第１閾値ＴＨ１よりも大きい第２閾値ＴＨ２（ＴＨ１＜ＴＨ２）以上となり、その状態がＸ2時間継続することにより前記センサ出力とし、また、第２閾値ＴＨ２未満となり、その状態がＹ2時間継続することにより前記センサ出力の検出とする。更に、前記センサ出力の検出の後、Ｚ1時間継続した後に前記センサ出力の特性をセンサ異常判別回路の入力として確認し、特性の後に前記センサが前記容積空間に加えられた外部からの押圧力の入力を検出するものである。
ここで、実施物では、第１閾値ＴＨ１＝１［Ｖ］、第２閾値ＴＨ２＝２．５［Ｖ］、アース電位閾値ＴＨ０＝０［Ｖ］は、任意の正電圧、負電圧に設定してもよい。また、監視する時限Ｘ1、時限Ｙ1、時限Ｚ1、監視する時限Ｘ2、時限Ｙ2、時限Ｚ2の時限も、１または複数が「０」が設定される「０」以上の値が使用される。即ち、センサが検出したセンサ出力は、前記容積空間に加えられた外部からの押圧力を前記容積空間の物理的変化量として検出し、複数の閾値と比較して、その信号検出出力として正常・異常の２値信号を得るセンサ信号出力回路と、前記センサ信号出力回路の前記センサ出力の異常状態から定常状態に戻る２値信号の変化直後から、所定の閾値以下で、所定の時限内に、前記センサ自体の正常・異常を判別するセンサ異常判別回路が搭載されている。
【００１８】
上記センサ異常判別回路は、前記センサ信号出力回路が前記容積空間に加えられた外部からの押圧力を検出する定常状態に戻るとき、前記センサの検出信号をアース電位として定常状態に戻るまでの二次関数特性を基に、前記センサ自体の正常・異常を判別するものである。結果的に、二次関数特性を経てセンサ信号出力回路の動作に入ることができれば正常とする判断である。
【発明の効果】
【００１９】
請求項１の発明の接触検出装置は、対向する特定の形状に形成された基材と、特定の形状に形成された基材を被覆する特定の容積空間と、前記容積空間に加えられた外部からの押圧力を、前記容積空間で形成した物理的変化量として検出するセンサとを具備し、センサ信号出力回路は前記容積空間に加えられた外部からの押圧力を、前記容積空間の物理的変化量として前記センサで検出する。また、センサ異常判別回路は、前記センサ信号出力回路のアース電位の検出時点から所定の時限内に、前記センサ自体の正常・異常を前記センサ出力で判別するものである。なお、本実施の形態では、アース電位を閾値として使用しているが、他の閾値を使用してもよい。
【００２０】
したがって、特定の形状に形成された基材を被覆する積層接着した発泡合成樹脂材料または発泡ゴム材料を特定の形状に形成してなる発泡体の片側に形成された所定の容積空間と、前記容積空間内に圧縮された空気が、前記基材及び／または前記発泡体から外気に漏れ難くした前記容積空間に形成し、前記基材と前記発泡体の外部からの押圧力を、前記容積空間の物理的変化量としてセンサで検出し、前記センサ出力の時限をもって検出出力とするものである。
【００２１】
漏れ難くした容積空間内の、例えば、圧縮された空気は、前記基材と前記発泡体の片側または両側に加えられた押圧力によってセンサで物理的変化を得る。物理的変化量として、空気圧、空気の流れ、空気の流速、空気量の変化等として検出する。
このように、前記基材及び／または前記発泡体から物理的変化量として、漏れ難くした容積空間内の物理的変量を検出するものであるから、広範な範囲に加えられた圧力を検出することができ、二次元的な平面的構成であっても、三次元的な立体的構成であっても施工でき、所定以上の外部からの圧力を検出できる。
また、前記容積空間の物理的変化として検出するセンサは、前記センサ信号出力回路の前記容積空間に加えられた外部からの押圧力を、前記容積空間の物理的変化量として前記センサで検出し、通常の前記容積空間に加えられた接触圧等として検出する。しかし、センサ異常判別回路は、前記センサ信号出力回路の前記センサ出力の検出直後から所定の時限内に、前記センサ自体の正常・異常を前記センサ出力で判別するから、前記センサ信号出力回路の動作の終了時点でセンサ異常判別回路がセンサに異常がないことを明らかに保証する。
特に、前記容積空間の物理的変化量を検出するセンサ出力は、時間の経過に伴って徐々に加わる外力、即ち、なだらかに立ち上がったり、立ち下がったりする外力と、短時間に急激に加わる外力とを区別して監視し、短時間に接触を判別することができる。
即ち、本願発明の容積空間の物理的変化量を検出するセンサが物理的変化量を検出するセンサ信号出力回路及び次回の物理的変化量の検出に向けてセンサ自体の正常・異常をセンサ異常判別回路で判別できる接触検出装置として提供することができ、殊に、次回、初回の起動時に対して、何時発生するか分からない接触直前のタイミングに風量センサ異常が発生していないかを判別できる。
【００２２】
前記センサ異常判別回路は、前記センサ信号出力回路が前記容積空間に加えられた外部からの押圧力を検出する定常状態に戻るとき、前記センサの検出信号をアース電位として定常状態に戻るまでのセンサの出力特性を基に、前記センサ自体の正常・異常を判別するものである。
したがって、前記センサ信号出力回路が動作する毎に、センサの正常・異常が確認され、特に、次の動作の前に、前記センサ異常判別回路が動作しなければ、次回、安全に動作することを意味する。
特に、前記センサ信号出力回路が前記容積空間に加えられた外部からの押圧力を検出する定常状態に戻るとき、前記センサの検出信号をアース電位として定常状態に戻るまでの二次関数特性を基に、前記センサ自体の正常・異常を判別するものである。結果的に、二次関数特性を経てセンサ信号出力回路の動作に入ることができれば正常である。
【図面の簡単な説明】
【００２３】
【図１】図１は本発明の実施の形態における接触検出装置の特定の形状に形成した基材の例示の斜視図である。
【図２】図２は本発明の実施の形態における接触検出装置の発泡体を積層接着した状態の説明図である。
【図３】図３は本発明の実施の形態における接触検出装置の基材と発泡体を装着した状態の断面の説明図である。
【図４】図４は本発明の実施の形態における接触検出装置の構造を説明する断面説明図である。
【図５】図５は本発明の実施の形態における接触検出装置で使用する空間維持材の他の事例の説明図である
【図６】図６は本発明の実施の形態における接触検出装置を取付ける人形ロボットの全体斜視図である。
【図７】図７は本発明の実施の形態における接触検出装置を取付ける人形ロボットの胸部の全体斜視図である。
【図８】図８は本発明の実施の形態における接触検出装置を人形ロボットの胸部の内側に配設した要部斜視図である。
【図９】図９は本発明の実施の形態における接触検出装置を人形ロボットの胸部の外側を押圧した場合の要部斜視図である。
【図１０】図１０は本発明の実施の形態における接触検出装置で使用するセンサ信号出力回路及びセンサ異常判別回路の全体回路図である。
【図１１】図１１は本発明の実施の形態における接触検出装置で使用する順次接触状態が増加するタイミングチャートである。
【図１２】図１２は本発明の実施の形態における接触検出装置で使用する外力付加があった場合のタイミングチャートである。
【図１３】図１３は本発明の実施の形態における接触検出装置で使用する一般的な接触状態のタイミングチャートである。
【図１４】図１４は本発明の実施の形態における接触検出装置の制御のフローチャートである。
【発明を実施するための形態】
【００２４】
以下、本発明の実施の形態について、図面に基づいて説明する。なお、本実施の形態において、図示の同一記号及び同一符号は、同一または相当する機能部分であるから、ここではその重複する説明を省略する。
【００２５】
［実施の形態］
図１乃至図９において、本発明の実施の形態の接触検出装置で使用する基材１は、人形（ひとがた）ロボット５０に使用されているプロテクタである。この基材１は、例えば、ソリッドタイプまたは発泡性の熱可塑性樹脂材料から構成されている。この基材１の切削加工前は、接着のために確保しているフランジ部２のサイズで蒲鉾型に形成されている。即ち、基材１の外表面１Ａは対向する発泡体１０からすれば、片側のみに切削加工が行われた容積空間４を形成している。勿論、容積空間４の切削加工は、基材１または発泡体１０側の一方のみ、或いは基材１及び発泡体１０の両方とすることができる。
なお、基材１の外表面１Ａのフランジ部２と発泡体１０の内表面１０Ｂとの間は、接着剤または両面テープで接合している。または、基材１の開口及び発泡体１０の開口の接合に従って接合してもよい。
【００２６】
本実施の形態では、基材１を特定の形状に形成した合成樹脂材料としているが、本発明を実施する場合には、アルミニウム板、ステンレス板、鉄板、銅板等として、ソリッドタイプの合成樹脂、発泡合成樹脂材料として形成することもできる。外表面１Ａは対向する発泡体１０からみれば、片側のみに切削加工が行われた容積空間４を形成しているが、本発明を実施する場合は、発泡体１０側を切削してもよいし、基材１と発泡体１０の両側を切削してもよい。何れにせよ、容積空間４は対向する基材１と発泡体１０の片側または両側に容積空間４が形成されればよい。容積空間４の厚みは、通常、３〜１５ｍｍ程度である。
【００２７】
基材１と発泡体１０との間に形成された容積空間４は、容積空間４自体が閉じられた空間となっている。したがって、外部から発泡体１０に圧力を加えると、その加えた圧力に応じて窪みが生じ、容積空間４の体積変化が生じ、圧力変化が生じる。容積空間４の体積変化は空気圧となってセンサＳＥＮに入るから、センサＳＥＮは発泡体１０に加えた圧力の検出となる。
なお、センサＳＥＮとして、市販のマイクロフローセンサ（Ｄ６Ｆ−Ｖ０３Ａ１；オムロン製）を使用する場合には、センサＳＥＮに風の流れを形成する必要がある。したがって、容積空間４の体積変化が生じるように、補助空間２０から外部に空気の流れを発生させる。また、基材１と発泡体１０との間に形成された容積空間４に付与する外力を解放すると、容積空間４の復元力で、センサＳＥＮには逆方向の空気の流れとなる。容積空間４に付与する外力はセンサＳＥＮで付与するものではないが、爾後、センサＳＥＮのみの説明とする場合もある。
【００２８】
本実施の形態の接触検出装置で使用する発泡体１０は、１枚以上の熱可塑性樹脂材料、または２枚以上を接着剤１５で積層接着した熱可塑性樹脂材料としての発泡合成樹脂材料１１，１２，１３を特定の形状に形成したものである。１枚以上の発泡合成樹脂材料１１，１２，１３は、発泡体１０で容積空間４の容積変化が出現する硬度を有するものであり、特に、発泡体１０は、存在する内部気泡同士が繋がっていない独立気泡体、存在する内部気泡同士が繋がっている連続気泡体の何れであってもよい。しかし、空気の漏れを少なくするには、極めて柔らかく、復元性がある独立気泡体が好ましく、これら発泡体１０の発泡倍率は１０〜５０倍程度である。スポンジ硬度は１０〜５０（ＪＩＳ−ｋ−６２５３）の範囲内が好ましく、通常、スポンジ硬度は１５〜４５がより好適であり、構造によっては多少変化する。
【００２９】
発明者らは、図２に示すように、市販されている３枚の特定の縦・横・高さ（１２００×９００×６０ｍｍ）の規格化されたポリエチレンからなる発泡合成樹脂材料１１，１２，１３を使用した。ポリエチレンからなる発泡合成樹脂材料１１，１２，１３は、各規格化サイズが単体で発泡成形されており、表面の発泡密度が高いスキン層となっている。そのベントホールＺはφ２〜１０ｍｍ程度の材料である。本実施例で５０ｍｍよりも厚い製品を得るには、規格化された発泡合成樹脂材料１１，１２，１３の表面がスキン層となっているから、その両面の接着面にゴム系の接着剤を塗布して積層接着した。なお、接着剤１５はゴム系の接着剤である。
【００３０】
ゴム系の接着剤１５としては、ゴム糊（ノントルエン缶入り（丸末油業））またはゴム糊であるボンド(ＧＳＥＮ０Ｘ７(コニシ株))を接着する両面に薄く塗り、そして乾燥させ、接着面を対向させて圧縮し接着した。ゴム系の接着剤１５はボンド(ＧＳＥＮ０Ｘ７(コニシ株))であり、シクロヘキサン、ｎ−ヘプタン、アセトンが主成分である。
ここで、接着剤１５の厚みは、その存在が視認できない程度に可能な限り薄くし、接着機能のみが維持できればよい。ここで使用するゴム糊は、基材としての発泡合成樹脂材料１１，１２，１３と同じポリエチレン等の合成樹脂からなる接着剤１５も使用できる。
【００３１】
次に、本発明の実施の形態における発泡体１０について詳述する。
本発明を実施する場合の基材１は、人形ロボット等のロボットの被覆、各種機器のハウジングの被覆は、アルミニウム板、ステンレス板、鉄板、銅板等で形成されるのが一般的である。合成樹脂の場合には発泡合成樹脂も使用されているものの、主に、射出成型等で形成されている。この射出成型で形成した基材１の殆どは、１ブロックの熱可塑性樹脂材料から構成したものであるが、本実施の形態の接触検出装置では、射出成型等で形成された１ブロックの基材１の事例で説明する。
勿論、１枚以上の熱可塑性樹脂材料または２枚以上を積層接着した発泡合成樹脂材料１１，１２，１３を特定の形状に形成した基材１も、１個のソリッドタイプの合成樹脂材料または複数枚のソリッドタイプの合成樹脂板を特定の形状に形成してなる基材１も、基本的構成は射出成型等で形成されたものと相違するものではない。
【００３２】
本実施の形態で使用する発泡合成樹脂材料としては、ポリウレタン(ＰＵＲ)、ポリスチレン(ＰＳ)、ポリオレフィン（主に、ポリエチレン(ＰＥ)やポリプロピレン(ＰＰ)）、また、フェノール樹脂(ＰＦ)、ポリ塩化ビニル(ＰＶＣ)、ユリア樹脂(ＵＦ)、シリコーン(ＳＩ)、ポリイミド(ＰＩ)、メラミン樹脂(ＭＦ)等の発泡化した樹脂が使用でき、内部気泡同士が繋がっている連続気泡体または内部気泡同士が繋がっていない独立気泡体の利用が可能である。しかし、発泡体１０及び基材１から空気が外気に漏れ難い容積空間４を形成するには、内部気泡同士が繋がっていない独立気泡体の使用が好ましい。
【００３３】
本実施の形態では、基材１は発泡体１０と同一材料で、また、それらの対する箱型の内枠６として同一処理したものである。基材１の周囲は切削して、外表面１Ａを形成している。発泡体１０の外表面１０Ａと内表面１０Ｂには、後述する箱型の内枠６が立体的構成として形成されている。また、基材１の外表面１Ａと内表面１Ｂにも、後述する箱型の内枠６が立体的に構成されている。勿論、発泡体１０の外表面１０Ａと内表面１０Ｂには、基材１の外表面１Ａと内表面１Ｂにも、後述する箱型の内枠６は二次元的構成として形成してもよい。
【００３４】
箱型の内枠６は、射出成形で形成した箱であり、安定した据え付け位置によりセンサＳＥＮの流入口に空気圧を導くもので、容積空間４の容積変化、圧力変化がセンサＳＥＮに正確に伝わるようにしている。内枠６が四角枠の箱状になっているのは、水平方向及び垂直方向に内枠６が移動しないようにし、外力変化を得やすくしている。内枠６の開口側には発泡合成樹脂材料の連続気泡体からなる平板封止板（スポンジ）８が配設されている。内枠６と平板封止板８で形成された空間は補助空間２０となっている。この補助空間２０は、一時的に容積空間４の容積変化、圧力変化を吸収させてもよいし、全く独立の空間としてもよい。通常、容積空間４の圧力は変化するが補助空間２０は大気圧となるように空気流が形成される。
したがって、補助空間２０は容積空間４に汚れた空気を導入しないので、センサＳＥＮを汚すことがない。なお、四角の箱状になっている内枠６は、金属板または金属を金型加工することができる。
【００３５】
即ち、補助空間２０は発泡合成樹脂材料の連続気泡体からなる平板封止板８で形成されているから、容積空間４から押圧された空気は案内路５を介してセンサＳＥＮの流入口に流れる。このとき、補助空間２０の略空気圧は大気圧を維持する。しかし、このとき、補助空間２０は大気圧と外部圧力の歪を受けているから、原理的には、外気よりも高くなっているので、連続気泡体からなる平板封止板８を通して、センサＳＥＮの流入口の空気を漏らすことができる。また、容積空間４の押圧力を解除すると容積空間４は不足空気量を案内路５及びセンサＳＥＮを介して外気を導入する。このとき、平板封止板８の全面がフィルタになるから、部分的に外部から塵埃を導入したり、目詰まりしたりすることが極端に少なくなる。
なお、念のため記載するが、平板封止板８から形成された補助空間２０は、発泡合成樹脂材料の連続気泡体からなり、大気圧に等しくなるように形成されている。ここでは、センサＳＥＮは圧力センサであっても、空気の流れを検出する市販のマイクロフローセンサ（Ｄ６Ｆ−Ｖ０３Ａ１；オムロン製）でも使用方法は同じである。このときには、容積空間４から補助空間２０に空気が流れるように構成する必要がある。
【００３６】
ここで使用したセンサＳＥＮは、図示しない補強層によって空気が外気に漏れ難く形成した容積空間４の圧力を検出している。このセンサＳＥＮは、市販の歪ケージを内蔵するセンサ、ダイヤフラムを介して検出するセンサ、ピエゾ効果素子を使用したセンサ、静電容量型のセンサであれば使用可能である。
本実施の形態で使用したセンサＳＥＮは、ＳＭＣ小形空気圧用圧力センサＰＳＥ５４０Ａを使用した。入力の圧力と出力電圧Ｖとの関係は略比例関係で感度の良いものである。
センサＳＥＮの出力は電源線２本、出力信号線ＯＵＴ１本の計３本からなり、本実施の形態では、人形ロボット５０の危険信号として急停止させる信号として使用している。
【００３７】
次に、発泡体１０に配設が望ましい補強層について説明する。
発泡体１０は、発泡させた熱可塑性樹脂であり、主な合成樹脂原料は、ポリウレタン(ＰＵＲ)、ポリスチレン(ＰＳ)、ポリオレフィン（主に、ポリエチレン(ＰＥ)やポリプロピレン(ＰＰ)）であり、他にも、フェノール樹脂(ＰＦ)、ポリ塩化ビニル(ＰＶＣ)、ユリア樹脂(ＵＦ)、シリコーン(ＳＩ)、ポリイミド(ＰＩ)、メラミン樹脂(ＭＦ)等も発泡化して用いることができる。しかし、発泡体１０の切削面を加熱することにより硬化させることを前提とすると、８０〜２００℃の範囲内の温度で変形する合成樹脂材料の使用が望ましい。また、本発明を実施する場合には、発泡率を問うものではないが、使途によっては弾性を維持するものの、硬く仕上げるために発泡率の制限を受けるものもある。
【００３８】
基材１の内表面１Ｂには、箱型の内枠６が接着剤で接合して配設されている。この内枠６は、出力が外力に比例する特性のセンサＳＥＮを接合するもので、容積空間４から空気を導く案内路５の流入口に容積空間４の圧力を加えている。このとき、容積空間４の圧力をセンサＳＥＮの案内路５の流入口に導くものであるから、補助空間２０は大気圧であることが望ましい。
センサＳＥＮの出力は、リード線Ｌを介して、必要に応じてコネクタ等を介してマイクロプロセッサ３０の内蔵するオペアンプＯＰ等に導かれ、そのオペアンプＯＰの出力は“Ｈ（オン）”、“Ｌ（オフ）”に変換される。また、オン時間またはオフ時間の長短の条件によって信号検出出力ＡＣの“Ｈ”、“Ｌ”の検出出力の判断を行う。
本実施の形態では、マイクロプロセッサ３０の出力は通常を“Ｈ”、パルス発生を“Ｌ”として、マイナスのパルス発生を説明するが、本発明を実施する場合には、ＮＯＴ回路、ＮＡＮＤ回路の構成を加えれば、結果は同一となるので、“Ｈ”から“Ｌ”に信号変換する事例として説明する。
【００３９】
図６乃至図９において、本発明の実施の形態における接触検出装置を取付けた人形ロボット５０は、内部に汎用のハードウェア及びソフトウェアを搭載している。また、図７の要部斜視図で人形ロボット５０の胸部５１及び肩部５２の外観を示している。図８のコーナ（角）５５は、二次元的または三次元的に空間を形成し、そこに、センサＳＥＮから離れた位置に配置したマイクロプロセッサ３０を取付けてもよい。また、必要に応じてそこに電池を配設してもよい。平板封止板８（図示しない）の上に可撓性のフィルム５６を接合させたもので、基材１（人形ロボット５０）とそれを被覆する発泡体１０を構成している。
【００４０】
本実施の形態の人形ロボット５０は、胸部５１の内側に、図示しない連続気泡体の発泡合成樹脂材料板４Ａ，４Ｂ，４Ｃを入れて体積を確保し、基材１（人形ロボット５０）を被覆する発泡体１０との間に容積空間４を形成し、更に、容積空間４を閉じる空気を通過させない、かつ、センサＳＥＮのみに圧力が加わるようにしている。結果的に、基材１（人形ロボット５０）が金属であるから、センサＳＥＮが固定される。
なお、リード線止め５７は、リード線Ｌの配線用である。
【００４１】
ここで、図９のように、人形ロボット５０の胸部５１外側のコーナを押圧すると、コーナのみが指と接触しており、そこが窪むように見受けられるが、この窪みによる歪が、容積空間４を形成した機械的強度の弱い部分に集中し、容積空間４が体積変化を生じ、それをセンサＳＥＮで検出することができる。
結果的には、人形ロボット５０の胸部５１に付与する外力が検出できる。本実施の形態の人形ロボット５０には、肩部５２の接触を検出していないが、図８に示すように、全体に設けなくても、一部にストレス（歪）が入ると、動作することが判明した。
したがって、基材１及び発泡体１０との間の片側または両側に、基材１及び発泡体１０から空気が外気に漏れ難い容積空間４を形成し、センサＳＥＮの出力によって容積空間４にどれだけの外力が加わったかを判断することにより、基材１及び発泡体１０の何れかに押圧力が加わり、容積空間４の体積が変化した要因の存在を把握し、基材１及び発泡体１０との間の片側または両側に人体等が接触したことを判断するものである。
【００４２】
特定の形状に形成された基材１は、１枚の発泡合成樹脂材料または発泡ゴム材料、または複数枚を積層接着した発泡合成樹脂材料または発泡ゴム材料としたものである。または、本実施の形態のように、人形ロボット５０の一部とすることができる。
したがって、基材１と発泡体１０が同じ特性の材料とすることができるので、対向する基材１と発泡体１０が同一材料となり軽量化及び加工が容易となる。また、伸縮が自在でない、即ち、伸縮しないシートを使用することもでき、これによって、基材１の用途を広げることができる。
【００４３】
また、容積空間４には、その内面に通気性のある発泡合成樹脂材料板で格子状、４角形状、鮫小紋、円形の水玉、市松を打ち抜き形成し、または交互に打ち抜いて形成した弾性体を収容したものである。
したがって、容積空間４は、内面に弾性及び通気性のある発泡合成樹脂材料板で格子状、４角形状、鮫小紋、円形の水玉状、市松状の何れかを打ち抜き形成し、または交互に打ち抜いて形成したものであるから、容積空間４に何も入らない空間ではなく、自己保持する弾性力等を保持させることができ、容積空間４の容積変化を得ればよいことから、複雑な三次元空間であっても、二次元空間と同様の検出が可能となる。
【００４４】
そして、センサＳＥＮは、流入口に空気の圧力を導入するものである。したがって、流入口に空気を通し、その圧力の大きさをセンサＳＥＮで検出し、その出力を増幅し、そのアナログ入力の大きさによって、閾値よりも大きいときに“Ｈ”、それ以下の入力のときに“Ｌ”出力とする。フォトトランジスタがオンするとき、アース電位閾値である第３閾値ＴＨ３＝ＴＨ０＝０［Ｖ］のアース電位となり、人形ロボット５０の制御が停止する。したがって、センサＳＥＮの配線が予測しないロボット制御でショートし、またはアース電位閾値である第３閾値ＴＨ３＝ＴＨ０＝０［Ｖ］のアース電位に低下することがない。
【００４５】
例えば、マイクロプロセッサ３０には、付設されたＡ-Ｄ変換回路等のアナログ入力を有していて、その出力はデジタル処理された出力となる機能を有している。即ち、容積空間の物理的変化量として検出するセンサＳＥＮは、外部からの押圧力が緩やか（例えば、５ｍｍ/ｓ）に押圧力を増加する場合には、図１１及び図１２に示すように、センサ出力ＥＳが徐々に上昇する。このとき、センサ出力ＥＳの検出出力時間が検出すべき継続時限Ｘ1に到達したとき、信号検出出力ＡＣの信号が出力される。
また、外部からの押圧力が緩やかな押圧力の増加を得て、それがタイミングｔ１で第１閾値ＴＨ１を超えると、容積空間４の物理的変化量として検出したセンサ出力ＥＳは、外部からの押圧力が緩やかな押圧力の増加を得て、それが第１閾値ＴＨ１を超えると、その時から監視する時限Ｘ1の時限だけ計測を開始し、時限Ｘ1の時限になったとき、信号検出出力ＡＣが“Ｈ”から“Ｌ”になる。
【００４６】
容積空間４の物理的変化量が移動限界になり、容積空間４の物理的変化量の検出がなくなると、センサ出力ＥＳの値が低下し、タイミングt3で第１閾値ＴＨ１未満に低下すると、タイミングt4で時限Ｙ1の時限を計測し、その間にセンサ出力ＥＳがアース電位、即ち、アース電位閾値ＴＨ０になるか否かを判断する。センサ出力ＥＳがアース電位閾値ＴＨ０になったとき、センサ出力ＥＳが時限Ｚ１以上継続された後、センサ出力ＥＳがアース電位閾値ＴＨ０から信号検出出力ＡＣの“Ｌ”に落ち着く。
前記センサ出力ＥＳの検出信号をアース電位閾値ＴＨ０として定常状態に戻るまでの二次関数特性に従った変化の検出となる。この前記センサ出力ＥＳの検出信号をアース電位閾値ＴＨ０として定常状態に戻るときには、センサ出力ＥＳの検出直後から所定の時限Ｚ1以上継続された時限内に、センサ自体の正常・異常をセンサ出力ＥＳが検出信号で判別する。
例えば、センサ出力ＥＳが容積空間４の物理的変化量が正圧であったとき、その正圧の解除でセンサ出力ＥＳは負圧で押圧されたことになる。
【００４７】
定常状態に戻るときのセンサ出力ＥＳは、容積空間４に加えられた外部からの押圧力を、容積空間４で形成した物理的変化量として検出した後、その戻りは、対向する基材１と発泡体１０に形成された所定の容積空間４で外気を導入するものであり、その特性は通常、立ち上がりが急峻な二次曲線の変化となる。したがって、センサ出力ＥＳが０．５Ｖに戻る時間を計算しておけば、それに要する時間との比較により、二次曲線を描く変化であるか否かを判別できる。勿論、センサ出力ＥＳが０．５Ｖに戻る時間が長いと二次曲線の変化である確率が高い。センサ出力ＥＳの回復時間が０．５Ｖに戻るまでの時間は、二次曲線を描く場合の方が長くなる。したがって、実験でその時限を割り出すことにより、センサ出力ＥＳの回復時間から正常・異常を判断してもよい。
そして、センサ出力ＥＳの回復時間が略決定されるから、時間のみを判断基準とする時限Ｚ1の設定を前提としてもよい。
また、０〜０．５Ｖと変化するセンサ出力ＥＳを、５〜１００回サンプリングし、サンプリングした電圧の差が大きい場合には、二次曲線の変化である確率が高い。この比較の場合には信頼性の高い結果が得られる。勿論、複数回サンプリングして、そのサンプリングした電圧からセンサ出力ＥＳの回復の正常・異常を判断してもよい。
即ち、信号検出出力ＡＣとして容積空間の物理的変化量を検出するセンサＳＥＮが、物理的変化量を検出するのみならず、自己の性能も確認し、フェイルセーフの接触検出を可能としている。
【００４８】
容積空間４の物理的変化量として検出するセンサＳＥＮは、外部からの押圧力が急激（例えば、２５０ｍｍ/ｓ）に増加する場合には、図１３に示すように、センサ出力ＥＳが急激に上昇する。このとき、タイミングt1でセンサ出力ＥＳが第２閾値ＴＨ２を超え、監視する時限Ｘ2に到達したタイミングt2のとき、信号検出出力ＡＣが“Ｈ”から“Ｌ”に変化する。即ち、容積空間４の物理的変化量として検出したセンサ出力ＥＳは、外部からの押圧力が急激に大きな押圧力となり、それが第２閾値ＴＨ２を超え（タイミングt1）と、その時から時限Ｘ2を計測開始し、タイミングt1で時限Ｘ2の時限になったとき、信号検出出力ＡＣが“Ｈ”から“Ｌ”となる。
【００４９】
また、容積空間４の物理的変化量が移動できる限界になり、容積空間４の物理的変化量の検出がなくなると、センサ出力ＥＳが低下し、タイミングt3で第２閾値ＴＨ２未満になると、時限Ｙ2を計測開始し、その間にセンサ出力ＥＳがアース電位閾値ＴＨ０になるか否かを判断し、タイミングt4でセンサ出力ＥＳがアース電位閾値ＴＨ０になったとき、センサ出力ＥＳが時限Ｚ2以上継続された後、センサ出力ＥＳがアース電位閾値ＴＨ０から、信号検出出力ＡＣは本来の電圧の“Ｌ”に落ち着く。前記センサ出力ＥＳの検出信号をアース電位閾値ＴＨ０として定常状態に戻るまでの二次関数特性に従った変化となる。
この前記センサ出力ＥＳの検出信号をアース電位閾値ＴＨ０から定常状態の電圧に戻るときには、センサ出力ＥＳのアース電位閾値ＴＨ０の検出直後から所定の時限Ｚ２以上継続された時限内に、センサＳＥＮ自体の正常・異常を自己の検出出力のセンサ出力ＥＳで検出して判別するものである。
例えば、センサ出力ＥＳが容積空間４の物理的変化量が正圧であったとき、その正圧の解除でセンサ出力ＥＳは負圧で押圧されたことになる。
【００５０】
定常状態に戻るときのセンサ出力ＥＳは、容積空間４に加えられた外部からの押圧力を、容積空間４の物理的変化量として検出した後、その戻りは、対向する基材１と発泡体１０に形成された所定の容積空間４で外気を導入するものであり、通常、二次曲線の変化となる。したがって、センサ出力ＥＳが０．５Ｖに戻る時間を計算で出した値とそれに要する時間との比較により、または、二次曲線を描く変化であるか否かを判別し、センサ出力ＥＳが０．５Ｖに戻る時間が長いと二次曲線の変化である確率が高いとして正常・異常の判別を行うこともできる。また、０〜０．５Ｖと変化するセンサ出力ＥＳを複数回サンプリングし、そのサンプリングしたピーク電圧によって判断した場合には、二次曲線の変化である確率は高くなる。更に、“Ｈ”から“Ｌ”、“Ｌ”から“Ｈ”に信号変換するときの時限が決定され、特に、“Ｌ”から“Ｈ”に信号変換されるとき、最大時限がタイミングt3で第２閾値ＴＨ２未満となってからの時限が、一義的に所定の値以下と決定されるから、その時限のみを使用することもできる。
【００５１】
ここで、容積空間４に加えられた外部からの押圧力を、容積空間４の物理的変化量としてセンサＳＥＮで検出するセンサ信号出力回路３１は、センサ出力ＥＳの第１閾値ＴＨ１の検出及びその動作の継続を測定する時限Ｘ1、時限Ｙ1の時限を計測するタイマ及び時限Ｘ2、時限Ｙ2の時限により構成されている。
また、センサ出力ＥＳの検出直後から所定の時限内に、センサＳＥＮ自体の正常・異常をセンサ出力ＥＳの検出で判別するセンサ異常判別回路３２は、センサ出力ＥＳのアース電位閾値ＴＨ０になったことを検出し、時限Ｚ１または時限Ｚ２の時限を計測した後、センサ出力ＥＳが容積空間４の物理的変化量として検出した後の戻りの特性であるか否かを判断し、センサＳＥＮ自体の正常・異常を前記センサ出力ＥＳの検出信号で判別するものである。
したがって、信号検出出力ＡＣとして容積空間の物理的変化量を検出するセンサＳＥＮが、物理的変化量を検出するのみならず、自己の性能も確認し、フェイルセーフの接触検出を可能としている。
【００５２】
次に、マイクロプロセッサ３０による制御について説明する。
このルーチンは、目的の人形ロボット５０等の電源投入またはその投入以前に別電源を投入し、繰り返し動作させるものである。
マイクロプロセッサ３０の電源投入の後、ステップＳ００で初期設定を行う。本実施の形態の初期設定では、第１閾値ＴＨ１＝１［Ｖ］、第２閾値ＴＨ２＝２．５［Ｖ］、アース電位閾値である第３閾値ＴＨ３＝ＴＨ０＝０［Ｖ］、監視する時限Ｘ1、時限Ｙ1、時限Ｚ1、監視する時限Ｘ2、時限Ｙ2、時限Ｚ2の時限を書き込む。また、マイクロプロセッサ３０の検出出力である信号検出出力ＡＣを“Ｈ”と初期設定を行う。
次いで、ステップＳ０１でセンサ出力ＳＥの徐々に変化するのを検出する第１閾値ＴＨ１＝１［Ｖ］以上であるかを判断する。第１閾値ＴＨ１＝１［Ｖ］以上が判断されると、ステップＳ０２でセンサ出力ＳＥの急激に変化するのを検出する第２閾値ＴＨ２＝２．５［Ｖ］以上であるかを判断する。ステップＳ０１でセンサ出力ＳＥの徐々に変化するのを検出する第１閾値ＴＨ１＝１［Ｖ］未満と判断しているときには、第１閾値ＴＨ１＝１［Ｖ］以上が到来するまで、ステップＳ０１でセンサ出力ＳＥの出力の上昇を待機する。
【００５３】
ステップＳ０１でセンサ出力ＳＥは第１閾値ＴＨ１＝１［Ｖ］以上であり、ステップＳ０２でセンサ出力ＳＥの出力は第２閾値ＴＨ２＝２．５［Ｖ］以上でないと判断された時、容積空間４の物理的変化量が徐々に増加し、センサ出力ＥＳの前縁が徐々に増加していることを示している。
即ち、ステップＳ０２でセンサ出力ＳＥの出力が第２閾値ＴＨ２＝２．５［Ｖ］以上でないと判断されたとき、センサ出力ＳＥの出力は第１閾値ＴＨ１＝１［Ｖ］以上、第２閾値ＴＨ２＝２．５［Ｖ］未満であることから、容積空間４の物理的変化量が徐々に増加しているとして、ステップＳ０３の処理に入る。
しかし、ステップＳ０２でセンサ出力ＳＥの出力が第２閾値ＴＨ２＝２．５［Ｖ］以上と判断されると、容積空間４の物理的変化量が急激に増加していることを意味するから、ステップＳ１４でセンサ出力ＥＳの出力によりステップＳ１５で信号検出出力ＡＣが“Ｈ”から“Ｌ”と変化する。
【００５４】
ステップＳ０１でセンサ出力ＳＥの出力は、第１閾値ＴＨ１＝１［Ｖ］以上が判断され、ステップＳ０２でセンサ出力ＳＥの出力が第２閾値ＴＨ２＝２．５［Ｖ］以上でないと判断されると、ステップＳ０３でセンサ出力ＥＳの監視する時限Ｘ1の長さ以上になったとき、ステップＳ０４で信号検出出力ＡＣを“Ｈ”から“Ｌ”に変化する。
その後、センサ出力ＳＥの出力は、容積空間４の物理的変化量が増加しつくした時、徐々に増加する物理的変化量の増加が停止し、物理的変化量が減少に転じ、センサ出力ＳＥの出力は、ステップＳ０５で第１閾値ＴＨ１＝１［Ｖ］未満を判断し、ステップＳ０６で時限Ｙ1になるまで信号検出出力ＡＣは“Ｌ”から“Ｈ”に変化することはない。ステップＳ０６で時限Ｙ1の経過を判断し、ステップＳ０４からステップＳ０６のルーチンにより時限Ｙ１の経過を確認し、時限Ｙ１の終了で、ステップＳ０７で信号検出出力ＡＣを“Ｌ”から“Ｈ”に変化させる。
【００５５】
ステップＳ０８でセンサ出力ＥＳがアース電位閾値である第３閾値ＴＨ３＝ＴＨ０＝０［Ｖ］になっているか判断し、ステップＳ０８でそれが確認されたら、ステップＳ０９で時限Ｚ1の経過を判断し、その経過を判断した後に、ステップＳ１０でセンサＳＥＮの回復特性があるか否かを判断し、センサＳＥＮの回復特性が確認された時、ステップＳ１１でセンサ検出動作に異常がないので、センサＳＥＮに異常はないと判断して、そのまま動作を継続する。
ステップＳ１０でセンサＳＥＮの回復特性が確認されないとき、ステップＳ１２でカウンタＮに「１」インクリメントし、異常の検出を行った回数を計数し、ステップＳ１３でモニタ異常表示出力１７のＬＥＤを点灯させ、その旨の出力を表示する。この出力は、人形ロボットの制御信号でもよいし、他の表示手段でもよい。
【００５６】
ここでは、外部からの押圧力が緩やか（５ｍｍ/ｓ）に押圧力を増加する場合について説明したが、外部からの押圧力が急激（２５０ｍｍ/ｓ）な場合には、図１３に示すように、センサ出力ＥＳが急激に変化する場合に好適となる。
なお、本実施の形態では、外部からの押圧力が緩やかな場合と、急激な場合とに５ｍｍ/ｓの変化と、２５０ｍｍ/ｓの変化について分けているが、本発明を実施する場合には単一の設定でもよいし、３個以上の押圧値で設定してもよい。しかし、人間に対する安全性の問題であれば、応答性が高いものが好適であるが、緩やかな場合と急激な場合とに１ｍｍ/ｓの変化と、５００ｍｍ/ｓの変化範囲の試験に合格するものであればよい。
ステップＳ０１でセンサ出力ＳＥの徐々に変化するのを検出する第１閾値ＴＨ１＝１［Ｖ］以上であるか、ステップＳ０２でセンサ出力ＳＥの急激に変化するのを検出する第２閾値ＴＨ２以上であるかを判断する。ステップＳ０２でセンサ出力ＳＥが第２閾値ＴＨ２以上に変化すると判定された場合には、ステップＳ１４でセンサ出力ＳＥの出力は時限Ｘ2以上継続しているか判断し、時限Ｘ2以上、継続したときには、ステップＳ１５で信号検出出力ＡＣを“Ｈ”から“Ｌ”とする。ステップＳ１６でセンサ出力ＳＥが第２閾値ＴＨ２未満になるかを判断し、センサ出力ＳＥが第２閾値ＴＨ２未満になるまでステップＳ１５及びステップＳ１６に留まる。
センサ出力ＳＥが第２閾値ＴＨ２未満になると、ステップＳ１７で時限Ｙ２まで継続しているかを判断し、ステップＳ１７で時限Ｙ2まで継続していると判断すると、ステップＳ１５からステップＳ１７で時限Ｙ2になるまで信号検出出力ＡＣは“Ｌ”から“Ｈ”に変わることはない。ステップＳ１８で時限Ｙ2まで継続していると判断すると信号検出出力ＡＣは“Ｌ”から“Ｈ”に変わる。
時限Ｙ2が経過するとステップＳ１９でセンサ出力ＳＥがアース電位閾値である第３閾値ＴＨ３＝ＴＨ０＝０［Ｖ］のアース電位か否かを判断し、ステップＳ１９でセンサ出力ＳＥがアース電位閾値である第３閾値ＴＨ３＝ＴＨ０＝０［Ｖ］になっているか判断し、ステップＳ１９でそれが確認されたら、ステップＳ２０で時限Ｚ2の経過を判断し、その経過を判断した後に、ステップＳ１０でセンサＳＥＮの回復特性があるか否かを判断し、センサＳＥＮの回復特性が確認された時、ステップＳ１１でセンサＳＥＮの検出動作に異常がないかを判断し、異常が検出されないとき、そのまま動作を継続する。
【００５７】
ステップＳ０９で時限Ｚ1の経過またはステップＳ２０で時限Ｚ2の経過を判断し、その経過を判断した後、ステップＳ１０でセンサＳＥＮの回復特性があるか否かを判断し、センサＳＥＮの回復特性が確認された時、ステップＳ１１でセンサ検出動作に異常がないので、そのまま動作を継続する。
ステップＳ１０でセンサＳＥＮの回復特性が確認されないとき、ステップＳ１２でカウンタＮに「１」インクリメントし、異常の検出を行った回数を加算する。ステップＳ１３でフォトカプラ１７に出力し、そのＬＥＤ出力はフォトトランジスタに抵抗Ｒ5を介したセンサ異常判別回路３２からセンサＳＥＮ自体の異常として出力される。
また、図１１に示すように、センサ出力ＥＳのように、外部からの容積空間４に付与される押圧力が緩やかに押圧力を増加している場合に、図１２に示すように、外部からの押圧力が急激に加わった場合には、センサ出力ＥＳに急激に外力付加Ｐ（外乱）が付与されるが、このときには、第２閾値ＴＨ２を超えるから、押圧力が急峻な場合と同様に動作する。
そして、時限Ｘ1を「０」とすると、第１閾値ＴＨ１が１回でも超えると、信号検出出力ＡＣがその超えた時点で“Ｈ”から“Ｌ”に変わる。特に、この場合には、外力付加Ｐの後の時限を残りの時限Ｘ1から算出し、時限Ｘ1を修正してもよい。
時限Ｘ1と時限Ｘ2はその時限を「０」と設定すると、応答速度を速くすることができる。
【００５８】
このように、容積空間４に加えられた外部からの押圧力を、容積空間４の物理的変化量としてセンサＳＥＮで検出するセンサ信号出力回路３１は、センサ出力ＥＳの第１閾値ＴＨ１の検出及びその動作の継続を測定する時限Ｘ1、時限Ｙ1の時限を計測するタイマにより構成されている。
また、センサ出力ＥＳの検出直後から所定の時限内に、センサＳＥＮ自体の正常・異常をセンサ出力ＥＳの検出で判別するセンサ異常判別回路３２は、センサ出力ＥＳの第２閾値ＴＨ２未満になったことを検出し、時限Ｚ1の時限を計測した後、センサ出力ＥＳが容積空間４の物理的変化量として検出した後の戻りの特性であるか否かを判断し、センサＳＥＮ自体の正常・異常を前記センサ出力ＥＳの検出信号で判別するものである
【００５９】
なお、図１０に示す圧力センサからなるセンサＳＥＮは、抵抗Ｒ1を介してマイクロプロセッサ３０に入力している。マイクロプロセッサ３０の出力は、限流抵抗Ｒ2を介してフォトカプラ１６に出力し、そのＬＥＤ出力はフォトトランジスタに抵抗Ｒ3を介したセンサ信号出力回路３１からの信号検出出力ＡＣとして出力されている。
また、センサＳＥＮ自体の異常表示の場合は、センサＳＥＮは、抵抗Ｒ1を介してマイクロプロセッサ３０に入力している。マイクロプロセッサ３０の出力は、限流抵抗Ｒ4を介してフォトカプラ１７に出力し、そのＬＥＤ出力はフォトトランジスタに抵抗Ｒ5を介したセンサ異常判別回路３２からセンサＳＥＮ自体の異常として出力されている。
このように、人形ロボット５０とは絶縁状態でセンサＳＥＮの検出出力が得られ、センサＳＥＮからなるセンサ信号出力回路３１とセンサ異常判別回路３２との配線が予測しない制御でショートすることがない。
【００６０】
本実施の形態の接触検出装置は、特定の形状に形成された基材１と、基材１を被覆する発泡合成樹脂材料または発泡ゴム材料を特定の形状に形成してなる発泡体１０と、対向する基材１と発泡体１０に形成された所定の容積空間４と、容積空間４に加えられた外部からの押圧力を物理的変化量として検出するセンサＳＥＮとを具備し、センサＳＥＮは、容積空間４に加えられた外部からの押圧力を、容積空間４の物理的変化量としてセンサＳＥＮで検出するセンサ信号出力回路３１と、センサ信号出力回路３１の信号検出出力ＡＣの検出直後から所定の時限内に、センサＳＥＮ自体の正常・異常をセンサ出力ＥＳの検出信号で判別するセンサ異常判別回路３２を搭載したものである。
【００６１】
本実施の形態の接触検出装置は、対向する特定の形状に形成された基材１と、特定の形状に形成された基材１を被覆する特定の容積空間４と、容積空間４に加えられた外部からの押圧力を、容積空間４で形成した容積空間４の物理的変化量として検出するセンサＳＥＮとを具備し、センサＳＥＮは、容積空間４に加えられた外部からの押圧力を物理的変化量としてセンサＳＥＮで検出するセンサ信号出力回路３１、及び、センサ異常判別回路３２は、センサ信号出力回路３１のセンサ出力ＥＳの検出直後から所定の時限内に、センサＳＥＮ自体の正常・異常を前記センサ出力で判別するものである。
【００６２】
したがって、特定の形状に形成された基材１を被覆する積層接着した発泡合成樹脂材料または発泡ゴム材料を特定の形状に形成してなる発泡体１０の片側に形成された所定の容積空間４と、容積空間４内に圧縮された空気が、基材１及び／または発泡体１０から外気に漏れ難くした容積空間４に形成し、基材１と発泡体１０の外部からの押圧力を、容積空間４の物理的変化量としてセンサＳＥＮで検出し、センサ出力ＥＳの時限をもって検出出力とするものである。
【００６３】
漏れ難くした容積空間４内の、例えば、圧縮された空気は、基材１と発泡体１０の片側または両側に加えられた押圧力によってセンサＳＥＮで物理的変化を得る。物理的変化量として、空気圧、空気の流れ、空気の流速、空気量の変化等として検出する。
このように、基材１及び／または発泡体１０から物理的変化量として、漏れ難くした容積空間４内の物理的変量を検出するものであるから、広範な範囲に加えられた圧力を検出することができ、二次元的な平面的構成であっても、三次元的な立体的構成であっても施工でき、所定以上の外部からの圧力を検出できる。
また、容積空間４の物理的変化として検出するセンサＳＥＮは、センサ信号出力回路３１の容積空間４に加えられた外部からの押圧力を、容積空間４の物理的変化量としてセンサＳＥＮで検出し、通常の容積空間４に加えられた接触圧等として検出する。しかし、センサ異常判別回路３２は、センサ信号出力回路３１のセンサ出力ＥＳの検出直後から所定の時限内に、前記センサ自体の正常・異常を前記センサ出力で判別するから、前記センサ信号出力回路の動作の終了時点で、センサ異常判別回路３２がセンサＳＥＮに異常がないことを補償できる。
特に、容積空間４の物理的変化を検出するセンサ出力ＥＳが、時間の経過に伴って徐々に加わる外力と、急激に加わる外力とを区別して監視し、短時間に接触を判別することができる。
【００６４】
本実施の形態の接触検出装置のセンサ異常判別回路３２は、センサ信号出力回路３２が容積空間４に加えられた外部からの押圧力を検出する定常状態に戻るとき、センサＳＥＮの検出信号を第３閾値（ＴＨ０）として定常状態に戻るまでの特性を基に、センサＳＥＮ自体の正常・異常を判別する。
本実施の形態の接触検出装置のセンサ異常判別回路３２は、センサ信号出力回路３１が容積空間４に加えられた外部からの押圧力を検出する定常状態に戻るとき、センサＳＥＮの検出信号を第３閾値（ＴＨ０）として定常状態に戻るまでのセンサＳＥＮの出力特性を基に、前記センサＳＥＮ自体の正常・異常を判別するものである。
【００６５】
したがって、センサＳＥＮが検出したセンサ出力ＥＳは、容積空間４に加えられた外部からの押圧力を容積空間４の物理的変化量として検出し、センサＳＥＮが検出したセンサ出力ＥＳは、容積空間４に加えられた外部からの押圧力を容積空間４の物理的変化量として検出し、第３閾値ＴＨ０（ＴＨ３），第１閾値ＴＨ１，第２閾値ＴＨ２等の複数の閾値と比較して、その信号検出出力として正常・異常の２値信号を得るセンサ信号出力回路３１と、センサ信号出力回路３１のセンサ出力ＥＳの異常状態から定常状態に戻る２値信号の変化直後から、第３閾値ＴＨ０（ＴＨ３），第１閾値ＴＨ１，第２閾値ＴＨ２等の所定の閾値以下で、所定の時限Ｘ1，Ｘ2内に、正常・異常を前記信号検出出力３１で判別するセンサ異常判別回路３２を具備し、センサ信号出力回路３１が動作する毎に、センサＳＥＮの正常・異常が確認され、特に、次の動作に掛けて、センサ異常判別回路３２が動作しなければ、安全に動作することを意味する。
特に、センサ信号出力回路３１が容積空間４に加えられた外部からの押圧力を検出する定常状態に戻るとき、センサＳＥＮの検出信号を第３閾値（ＴＨ０）として定常状態に戻るまでの二次関数特性を基に、センサＳＥＮ自体の正常・異常を判断するものである。結果的に、二次関数特性を経てセンサ信号出力回路３１の動作に入ることができれば正常である。
【産業上の利用可能性】
【００６６】
本発明を実施する場合には、容積空間４に別構成のファンを配設し、容積空間４を所定の物理的変量を空気圧、空気の流れ、空気の流速、空気量の変化等として物理的変化量を計測することができる。しかし、図示しないファンを取付けると部品点数が増加し、ファンの管理が必要になる。ところが、本実施の形態では、部品点数が増加しなくなる。しかし、ファンによる容積空間４の物理的変量を空気圧、空気の流れ、空気の流速、空気量の変化等を閾値として設定することもできる。
なお、複数の閾値、第１閾値、第２閾値、第３閾値は、２個または３個またはそれ以上とすることもでき、少なくとも２個または３個以上であればよい。そして、センサＳＥＮの検出信号に使用する第３閾値（ＴＨ０）は、アース電位であるが、他の負の電圧または正の第１閾値よりも低い電圧とすることができる。
そして、本実施の形態で使用する２値信号とは、アナログ値ではなく、“Ｈ”から“Ｌ”または“Ｌ”から“Ｈ”、“１”から“０”または“０”から“１”のデジタル信号であればよい。
【符号の説明】
【００６７】
１    基材
４    容積空間
４Ａ，４Ｂ，４Ｃ    空間維持材
１０    発泡体
１１，１２，１３    発泡合成樹脂材料
３０    マイクロプロセッサ
３１    センサ信号出力回路
３２    センサ異常判別回路
５０    人形ロボット
ＳＥＮ    センサ
ＴＨ０＝ＴＨ３    第３閾値（アース電位閾値）
ＴＨ１    第１閾値
ＴＨ２    第２閾値
Ｘ1，Ｙ1，Ｚ1    時限
Ｘ，Ｙ2，Ｚ2    時限
ＡＣ    信号検出出力
ＥＳ    センサ出力